(57)【要約】【課題】変化に富んだ再生が可能な情報記録媒体におけるスキャン再生等の多種の再生態様に対応して、記録情報を正確且つスムーズに再生することができるように情報を記録する記録装置及び当該情報を再生する再生装置を提供する。【解決手段】動画及び静止画を含みつつ復調された復調信号Ｓdmからシステムバッファ８５により分離されるＤＳＩ（Data Seach Information、検索制御）データに含まれるＶＯＢ（Video Object）ユニットサーチ情報中の、実際に指定された再生時刻に再生されるべき映像情報を示す存在情報に基づき、システムコントローラ１００が再生制御を行う。  指定された再生時刻に再生されるべき映像データと当該再生時刻に再生されるべき音声データとがＤＶＤ１上の異なる位置に記録されていても、映像と音声を対応させて正確に再生することができる。【選択図】図１２
2006269069.tif 000002
【特許請求の範囲】
【請求項１】
映像情報及び他の記録すべき情報よりなる記録情報に対して所定の信号処理を施し、処理記録情報として出力すると共に、外部から入力された前記記録情報の再生を制御する制御情報に基づいて、前記処理記録情報を構成する情報単位毎に前記処理記録情報に多重される第１記録位置情報であって、前記記録情報の再生時間軸上において一の前記情報単位の前後の予め設定された所定の範囲にある前記記録情報の再生時刻に対応する前記情報単位の、当該情報単位を記録する情報記録媒体上の記録位置を示す第１記録位置情報を前記一の情報単位毎に生成し、更に、前記第１記録位置情報と共に前記情報単位毎に前記処理記録情報に多重される当該第１記録位置情報に対応した第２記録位置情報であって、前記再生時間軸上において前記所定の範囲にある再生すべき前記映像情報の前記記録位置を示す第２記録位置情報を前記一の情報単位毎に生成し、出力する信号処理手段と、前記処理記録情報と前記第１記録位置情報及び第２記録位置情報を前記情報単位毎に多重して多重記録情報を出力する多重手段と、前記多重記録情報を前記情報記録媒体に記録する記録手段と、を備えたことを特徴とする記録装置。
【請求項２】
請求項１に記載の記録装置において、前記映像情報は、前記記録情報の再生時における動画に対応する映像情報と前記再生時における静止画に対応する映像情報とを含み、前記第２記録位置情報は、動画に対応する前記映像情報の前記記録位置又は静止画に対応する前記映像情報の前記記録位置を示す情報であることを特徴とする記録装置。
【請求項３】
映像情報及び他の記録すべき情報よりなる記録情報に対して所定の信号処理を施し、処理記録情報として出力すると共に、外部から入力された前記記録情報の再生を制御する制御情報に基づいて、前記処理記録情報を構成する情報単位毎に前記処理記録情報に多重される記録位置情報であって、前記記録情報の再生時間軸上において一の前記情報単位の前後の予め設定された所定の範囲にある前記記録情報の再生時刻に対応する前記情報単位の、当該情報単位を記録する情報記録媒体上の記録位置を示す記録位置情報を前記一の情報単位毎に生成し、更に、前記記録位置情報と共に前記情報単位毎に前記処理記録情報に多重される当該記録位置情報に対応した映像有無情報であって、当該記録位置情報によって前記記録位置が示される夫々の前記情報単位における前記映像情報の有無を示す映像有無情報を前記一の情報単位毎に生成し、出力する信号処理手段と、前記処理記録情報と前記記録位置情報及び前記映像有無情報を前記情報単位毎に多重して多重記録情報を出力する多重手段と、前記多重記録情報を前記情報記録媒体に記録する記録手段と、を備えたことを特徴とする記録装置。
【請求項４】
請求項３に記載の記録装置において、前記映像情報は、前記記録情報の再生時における動画に対応する映像情報と前記再生時における静止画に対応する映像情報とを含み、前記映像有無情報は、動画に対応する前記映像情報の有無又は静止画に対応する前記映像情報の有無を示す情報であることを特徴とする記録装置。
【請求項５】
情報記録媒体に記録された再生すべき記録情報の再生時刻に対応した情報単位の前記情報記録媒体上の記録位置を示す第１記録位置情報と、前記記録情報に含まれる再生すべき映像情報の記録位置を示す第２記録位置情報とに基づいて前記記録情報の再生を行う再生装置によって再生される前記記録情報が記録された前記情報記録媒体であって、前記映像情報及び他の記録すべき情報よりなる前記記録情報に対して所定の信号処理を施すことにより生成された処理記録情報と、前記処理記録情報を構成する前記情報単位毎に前記処理記録情報に多重される前記第１記録位置情報であって、前記記録情報の再生時間軸上において一の前記情報単位の前後の予め設定された所定の範囲にある前記記録情報の再生時刻に対応する前記情報単位の、前記情報記録媒体上の記録位置を示す前記第１記録位置情報と、前記第１記録位置情報と共に前記情報単位毎に前記処理記録情報に多重される当該第１記録位置情報に対応した前記第２記録位置情報であって、前記再生時間軸上において前記所定の範囲にある再生すべき前記映像情報の前記記録位置を示す前記第２記録位置情報とが、前記第１記録位置情報及び前記第２記録位置情報を前記一の情報単位毎に前記処理記録情報に挿入することにより多重された構造を備えたことを特徴とする情報記録媒体。
【請求項６】
請求項５に記載の情報記録媒体において、前記映像情報は、前記記録情報の再生時における動画に対応する映像情報と前記再生時における静止画に対応する映像情報とを含み、前記第２記録位置情報は、動画に対応する前記映像情報の前記記録位置又は静止画に対応する前記映像情報の前記記録位置を示す情報であることを特徴とする情報記録媒体。
【請求項７】
情報記録媒体に記録された再生すべき記録情報の再生時刻に対応した情報単位の前記情報記録媒体上の記録位置を示す記録位置情報に基づいて前記記録情報の再生を行う再生装置によって再生される前記記録情報が記録された情報記録媒体であって、映像情報及び他の記録すべき情報よりなる前記記録情報に対して所定の信号処理を施すことにより生成された処理記録情報と、前記処理記録情報を構成する前記情報単位毎に前記処理記録情報に多重される前記記録位置情報であって、前記記録情報の再生時間軸上において一の前記情報単位の前後の予め設定された所定の範囲にある前記記録情報の再生時刻に対応する前記情報単位の、前記情報記録媒体上の記録位置を示す前記記録位置情報と、前記記録位置情報と共に前記情報単位毎に前記処理記録情報に多重される当該記録位置情報に対応した映像有無情報であって、当該記録位置情報によって前記記録位置が示される夫々の前記情報単位における前記映像情報の有無を示す映像有無情報とが、前記記録位置情報及び前記映像有無情報を前記一の情報単位毎に前記処理記録情報に挿入することにより多重された構造を備えたことを特徴とする情報記録媒体。
【請求項８】
請求項７に記載の情報記録媒体において、前記映像情報は、前記記録情報の再生時における動画に対応する映像情報と前記再生時における静止画に対応する映像情報とを含み、前記映像有無情報は、動画に対応する前記映像情報の有無又は静止画に対応する前記映像情報の有無を示す情報であることを特徴とする情報記録媒体。
【請求項９】
映像情報及び他の記録すべき情報よりなる記録情報に対して所定の信号処理を施すことにより生成された処理記録情報と、前記処理記録情報を構成する情報単位毎に前記処理記録情報に多重された第１記録位置情報であって、前記記録情報の再生時間軸上において一の前記情報単位の前後の予め設定された所定の範囲にある前記記録情報の再生時刻に対応する前記情報単位の、当該情報単位が記録された情報記録媒体上の記録位置を示す第１記録位置情報と、前記第１記録位置情報と共に前記情報単位毎に前記処理記録情報に多重された当該第１記録位置情報に対応した第２記録位置情報であって、前記再生時間軸上において前記所定の範囲にある再生すべき前記映像情報の前記記録位置を示す第２記録位置情報とが、前記第１記録位置情報及び前記第２記録位置情報を前記一の情報単位毎に前記処理記録情報に挿入することにより多重されて記録されている前記情報記録媒体から前記記録情報を再生する再生装置であって、制御信号に基づいて、前記情報記録媒体から前記処理記録情報並びに前記第１記録位置情報及び前記第２記録位置情報を検出すると共に復調し、復調信号を出力する検出復調手段と、前記復調信号から、前記第１記録位置情報及び前記第２記録位置情報を抽出する抽出手段と、前記抽出された第１記録位置情報及び第２記録位置情報に基づいて、前記制御信号を出力する制御手段と、を備えたことを特徴とする再生装置。
【請求項１０】
請求項９に記載の再生装置において、前記映像情報は、前記記録情報の再生時における動画に対応する映像情報と前記再生時における静止画に対応する映像情報とを含み、前記第２記録位置情報は、動画に対応する前記映像情報の前記記録位置又は静止画に対応する前記映像情報の前記記録位置を示す情報であることを特徴とする再生装置。
【請求項１１】
映像情報及び他の記録すべき情報よりなる記録情報に対して所定の信号処理を施すことにより生成された処理記録情報と、前記処理記録情報を構成する情報単位毎に前記処理記録情報に多重される記録位置情報であって、前記記録情報の再生時間軸上において一の前記情報単位の前後の予め設定された所定の範囲にある前記記録情報の再生時刻に対応する前記情報単位の、当該情報単位が記録された情報記録媒体上の記録位置を示す記録位置情報と、前記記録位置情報と共に前記情報単位毎に前記処理記録情報に多重された当該記録位置情報に対応した映像有無情報であって、当該記録位置情報によって前記記録位置が示される夫々の前記情報単位における前記映像情報の有無を示す映像有無情報とが、前記記録位置情報及び前記映像有無情報を前記一の情報単位毎に前記処理記録情報に挿入することにより多重されて記録されている前記情報記録媒体から前記記録情報を再生する再生装置であって、制御信号に基づいて、前記情報記録媒体から前記処理記録情報並びに前記記録位置情報及び前記映像有無情報を検出すると共に復調し、復調信号を出力する検出復調手段と、前記復調信号から前記記録位置情報及び前記映像有無情報を抽出する抽出手段と、前記抽出された記録位置情報及び映像有無情報に基づいて、前記制御信号を出力する制御手段と、を備えたことを特徴とする再生装置。
【請求項１２】
請求項１１に記載の再生装置において、前記映像情報は、前記記録情報の再生時における動画に対応する映像情報と前記再生時における静止画に対応する映像情報とを含み、前記映像有無情報は、動画に対応する前記映像情報の有無又は静止画に対応する前記映像情報の有無を示す情報であることを特徴とする再生装置。
【発明の詳細な説明】
【技術分野】
【０００１】
本発明は、ＤＶＤに代表される画像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来は、画像、音声等の情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【発明の開示】
【発明が解決しようとする課題】
【０００４】
しかしながら、上記ＬＤ等においては、表示される画像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
更に、上記ＬＤ等においては、同じ一本の映画作品でも、劇場版やオリジナル版等、異なった編集態様が行われた作品を一のＬＤ等に記録する際には、当該異なった編集態様間で共通の部分を二重に記録することが必要となることから、実際上夫々の編集態様毎に別個のディスクに記録せざるを得ないので、一枚のディスクにおいて視聴者が同じ作品の別編集のものを選択することができない。
【０００７】
更にまた、一つの映画の中で異なるカメラアングルの映像を同時に記録することができないため、視聴者は、当該異なるカメラアングルの映像を選択して楽しむことができないこととなる。
【０００８】
また、上記ＬＤ等においては、動画と静止画を同じ取り扱いとすることができないので、静止画と対応する音声のみで構成されるスライドショー等において任意の再生時間に対応する画面のみをサーチするということもできなかった。
【０００９】
一方、現在、上記従来のＣＤに対して、光ディスク自体の大きさを変えずに記憶容量を約１０倍に向上させた光ディスクであるＤＶＤについての提案や開発が盛んであるが、このＤＶＤに対して、上記のように視聴者に対して種々の選択枝を提示し、選択された記録情報の内容を正確、確実且つスムーズに再生することができるような記録情報を記録する場合には、本来の再生すべき映像情報及び音声情報の他に、種々の制御情報を記録することとなる。
【００１０】
しかしながら、その場合には、画像及び音声情報とそれらを制御する制御情報との関係の複雑さに起因して、例えば、スキャン再生の際に画像が途切れたり、音声と画像の対応関係が崩れる場合があるという問題点があった。
【００１１】
そこで、本発明は上記の問題点に鑑みて成されたもので、その課題は、変化に富んだ再生が可能な情報記録媒体におけるスキャン再生等の多種の再生態様に対応して、記録情報を正確且つスムーズに再生することができるように情報を記録するための記録装置及び当該記録装置により情報が記録された情報記録媒体を提供することにある。
【課題を解決するための手段】
【００１２】
上記の課題を解決するために、請求項１に記載の発明は、ビデオデータ等の映像情報及び他の記録すべき情報よりなる記録情報に対してＭＰＥＧ２方式等の所定の信号処理を施し、処理記録情報として出力すると共に、外部から入力された前記記録情報の再生を制御する制御情報に基づいて、前記処理記録情報を構成するＶＯＢ（Video Object）ユニット等の情報単位毎に前記処理記録情報に多重されるＶＯＢユニットアドレスＡ等の第１記録位置情報であって、前記記録情報の再生時間軸上において一の前記情報単位の前後の予め設定された所定の範囲にある再生すべき前記記録情報の再生時刻に対応する前記情報単位の、当該情報単位を記録するＤＶＤ等の情報記録媒体上の記録位置を示す第１記録位置情報を前記一の情報単位毎に生成し、更に、前記第１記録位置情報と共に前記情報単位毎に前記処理記録情報に多重される当該第１記録位置情報に対応したＶＯＢユニットアドレスＢ等の第２記録位置情報であって、前記再生時間軸上において前記所定の範囲にある再生すべき前記映像情報の前記記録位置を示す第２記録位置情報を前記一の情報単位毎に生成し、出力する信号処理部等の信号処理手段と、前記処理記録情報と前記第１記録位置情報及び第２記録位置情報を前記情報単位毎に多重して多重記録情報を出力するコントローラ、多重器等の多重手段と、前記多重記録情報を前記情報記録媒体に記録するマスタリング装置等の記録手段と、を備えて構成される。
【００１３】
請求項１に記載の発明の作用によれば、信号処理手段は、記録情報に対して所定の信号処理を施し、処理記録情報として出力すると共に、制御情報に基づいて、第１記録位置情報を一の情報単位毎に生成し、更に、第２記録位置情報を一の情報単位毎に生成して出力する。
【００１４】
そして、多重手段は、処理記録情報と第１記録位置情報及び第２記録位置情報を情報単位毎に多重して多重記録情報を出力する。その後、記録手段は、多重記録情報を情報記録媒体に記録する。
【００１５】
よって、記録情報の再生時において、上記第１記録位置情報及び第２記録位置情報に基づいて再生することにより、再生すべき映像情報を迅速に検索して再生することができる。
【００１６】
上記の課題を解決するために、請求項２に記載の発明は、請求項１に記載の記録装置において、前記映像情報は、再生時における動画に対応する映像情報と再生時における静止画に対応する映像情報とを含み、前記第２記録位置情報は、動画に対応する前記映像情報の前記記録位置又は静止画に対応する前記映像情報の前記記録位置を示す情報であるように構成される。
【００１７】
請求項２に記載の発明の作用によれば、請求項１に記載の発明の作用に加えて、映像情報は、動画に対応する映像情報と静止画に対応する映像情報とを含み、第２記録位置情報は、動画に対応する映像情報の記録位置又は静止画に対応する映像情報の記録位置を示す情報であるので、記録情報の再生時において、静止画が連続するときでも、次に再生すべき動画又は静止画を迅速に検索して再生することができる。
【００１８】
上記の課題を解決するために、請求項３に記載の発明は、ビデオデータ等の映像情報及び他の記録すべき情報よりなる記録情報に対してＭＰＥＧ２方式等の所定の信号処理を施し、処理記録情報として出力すると共に、外部から入力された前記記録情報の再生を制御する制御情報に基づいて、前記処理記録情報を構成するＶＯＢユニット等の情報単位毎に前記処理記録情報に多重されるＶＯＢユニットドレスＡ等の記録位置情報であって、前記記録情報の再生時間軸上において一の前記情報単位の前後の予め設定された所定の範囲にある前記記録情報の再生時刻に対応する前記情報単位の、当該情報単位を記録するＤＶＤ等の情報記録媒体上の記録位置を示す記録位置情報を前記一の情報単位毎に生成し、更に、前記記録位置情報と共に前記情報単位毎に前記処理記録情報に多重される当該記録位置情報に対応した存在情報等の映像有無情報であって、当該記録位置情報によって前記記録位置が示される夫々の前記情報単位における前記映像情報の有無を示す映像有無情報を前記一の情報単位毎に生成し、出力する信号処理部等の信号処理手段と、前記処理記録情報と前記記録位置情報及び前記映像有無情報を前記情報単位毎に多重して多重記録情報を出力するコントローラ、多重器等の多重手段と、前記多重記録情報を前記情報記録媒体に記録するマスタリング装置等の記録手段と、を備えて構成される。
【００１９】
請求項３に記載の発明の作用によれば、信号処理手段は、記録情報に対して所定の信号処理を施し、処理記録情報として出力すると共に、制御情報に基づいて、記録位置情報を一の情報単位毎に生成し、更に映像有無情報を一の情報単位毎に生成して出力する。
【００２０】
そして、多重手段は、処理記録情報と記録位置情報及び映像有無情報を情報単位毎に多重して多重記録情報を出力する。その後、記録手段は多重記録情報を情報記録媒体に記録する。
【００２１】
よって、記録情報の再生時において、上記記録位置情報及び映像有無情報に基づいて再生することにより、再生すべき記録情報を迅速に検索して再生することができると共に、情報単位中に映像情報が含まれていないときには、当該映像情報が記録されていない情報単位を検索せずに再生することができ、映像情報の再生を途切れることなく行うことができる。
【００２２】
上記の課題を解決するために、請求項４に記載の発明は、請求項３に記載の記録装置において、前記映像情報は、再生時における動画に対応する映像情報と再生時における静止画に対応する映像情報とを含み、前記映像有無情報は、動画に対応する前記映像情報の有無又は静止画に対応する前記映像情報の有無を示す情報であるように構成される。
【００２３】
請求項４に記載の発明の作用によれば、請求項３に記載の発明の作用に加えて、映像情報は、前記記録情報の再生時における動画に対応する映像情報と前記再生時におＫる静止画に対応する映像情報とを含み、映像有無情報は、動画に対応する映像情報の有無又は静止画に対応する映像情報の有無を示す情報であるので、記録情報の再生時において、静止画が連続するときでも、次に再生すべき動画又は静止画を迅速に検索して再生することができると共に、情報単位中に動画又は静止画が含まれていないときには、当該動画又は静止画が記録されていない情報単位を検索せずに再生することができ、映像情報の再生を途切れることなく行うことができる。
【００２４】
上記の課題を解決するために、請求項５に記載の発明の情報記録媒体は、当該情報記録媒体に記録された再生すべき記録情報の再生時刻に対応したＶＯＢユニット等の情報単位の前記情報記録媒体上の記録位置を示すＶＯＢユニットアドレスＡ等の第１記録位置情報と、前記記録情報に含まれる再生すべきビデオデータ等の映像情報の記録位置を示すＶＯＢユニットアドレスＢ等の第２記録位置情報とに基づいて前記記録情報の再生を行う再生装置によって再生される前記記録情報が記録されたＤＶＤ等の前記情報記録媒体であって、前記映像情報及び他の記録すべき情報よりなる前記記録情報に対してＭＰＥＧ２方式等の所定の信号処理を施すことにより生成された処理記録情報と、前記処理記録情報を構成する前記情報単位毎に前記処理記録情報に多重される前記第１記録位置情報であって、前記記録情報の再生時間軸上において一の前記情報単位の前後の予め設定された所定の範囲にある前記記録情報の再生時刻に対応する前記情報単位の、前記情報記録媒体上の記録位置を示す前記第１記録位置情報と、前記第１記録位置情報と共に前記情報単位毎に前記処理記録情報に多重される当該第１記録位置情報に対応した前記第２記録位置情報であって、前記再生時間軸上において前記所定の範囲にある再生すべき前記映像情報の前記記録位置を示す前記第２記録位置情報とが、前記第１記録位置情報及び前記第２記録位置情報を前記一の情報単位毎に前記処理記録情報に挿入することにより多重された構造を備えて構成される。
【００２５】
請求項５に記載の発明の情報記録媒体によれば、記録情報に対して所定の信号処理を施すことにより生成された処理記録情報と第１記録位置情報と第２記録位置情報とが、第１記録位置情報及び第２記録位置情報を一の情報単位毎に処理記録情報に挿入することにより多重された構造を備えているので、記録情報の再生時において、上記各記録位置情報に基づいて再生することにより、再生すべき映像情報を迅速に検索して再生することができる。
【００２６】
上記の課題を解決するために、請求項６に記載の発明は、請求項５に記載の情報記録媒体において、前記映像情報は、前記記録情報の再生時における動画に対応する映像情報と前記再生時における静止画に対応する映像情報とを含み、前記第２記録位置情報は、動画に対応する前記映像情報の前記記録位置又は静止画に対応する前記映像情報の前記記録位置を示す情報であるように構成される。
【００２７】
請求項６に記載の発明の情報記録媒体によれば、請求項５に記載の発明の作用に加えて、映像情報は動画に対応する映像情報と静止画に対応する映像情報とを含み、第２記録位置情報は、動画に対応する映像情報の記録位置又は静止画に対応する映像情報の記録位置を示す情報であるので、記録情報の再生時において、静止画が連続するときでも、次に再生すべき動画又は静止画を迅速に検索して再生することができる。
【００２８】
上記の課題を解決するために、請求項７に記載の発明の情報記録媒体は、当該情報記録媒体に記録された再生すべき記録情報の再生時刻に対応したＶＯＢユニット等の情報単位の前記情報記録媒体上の記録位置を示すＶＯＢユニットアドレスＡ等の記録位置情報に基づいて前記記録情報の再生を行う再生装置によって再生される前記記録情報が記録されたＤＶＤ等の情報記録媒体であって、ビデオデータ等の映像情報及び他の記録すべき情報よりなる前記記録情報に対してＭＰＥＧ２方式等の所定の信号処理を施すことにより生成された処理記録情報と、前記処理記録情報を構成する前記情報単位毎に前記処理記録情報に多重される前記記録位置情報であって、前記記録情報の再生時間軸上において一の前記情報単位の前後の予め設定された所定の範囲にある前記記録情報の再生時刻に対応する前記情報単位の、前記情報記録媒体上の記録位置を示す前記記録位置情報と、前記記録位置情報と共に前記情報単位毎に前記処理記録情報に多重される当該記録位置情報に対応した存在情報等の映像有無情報であって、当該記録位置情報によって前記記録位置が示される夫々の前記情報単位における前記映像情報の有無を示す映像有無情報とが、前記記録位置情報及び前記映像有無情報を前記一の情報単位毎に前記処理記録情報に挿入することにより多重された構造を備えて構成される。
【００２９】
請求項７に記載の発明の情報記録媒体によれば、記録情報に対して所定の信号処理を施すことにより生成された処理記録情報と記録位置情報と映像有無情報とが、記録位置情報及び映像有無情報を一の情報単位毎に処理記録情報に挿入することにより多重された構造を備えているので、記録情報の再生時において、上記記録位置情報及び映像有無情報に基づいて再生することにより、再生すべき記録情報を迅速に検索して再生することができると共に、情報単位中に映像情報が含まれていないときには、当該映像情報が記録されていない情報単位を検索せずに再生することができ、映像情報の再生を途切れることなく行うことができる。
【００３０】
上記の課題を解決するために、請求項８に記載の発明は、請求項７に記載の情報記録媒体において、前記映像情報は、前記記録情報の再生時における動画に対応する映像情報と前記再生時における静止画に対応する映像情報とを含み、前記映像有無情報は、動画に対応する前記映像情報の有無又は静止画に対応する前記映像情報の有無を示す情報であるように構成される。
【００３１】
請求項８に記載の発明の作用によれば、請求項７に記載の発明の作用に加えて、映像情報は、再生時における動画に対応する映像情報と再生時における静止画に対応する映像情報とを含み、映像有無情報は、動画に対応する映像情報の有無又は静止画に対応する映像情報の有無を示す情報であるので、記録情報の再生時において、静止画が連続するときでも、次に再生すべき動画又は静止画を迅速に検索して再生することができると共に、情報単位中に動画又は静止画が含まれていないときには、当該動画又は静止画が記録されていない情報単位を検索せずに再生することができ、映像情報の再生を途切れることなく行うことができる。
【００３２】
上記の課題を解決するために、請求項９に記載の発明は、ビデオデータ等の映像情報及び他の記録すべき情報よりなる記録情報に対してＭＰＥＧ２方式等の所定の信号処理を施すことにより生成された処理記録情報と、前記処理記録情報を構成するＶＯＢユニット等の情報単位毎に前記処理記録情報に多重されたＶＯＢユニットアドレスＡ等の第１記録位置情報であって、前記記録情報の再生時間軸上において一の前記情報単位の前後の予め設定された所定の範囲にある前記記録情報の再生時刻に対応する前記情報単位の、当該情報単位が記録されたＤＶＤ等の情報記録媒体上の記録位置を示す第１記録位置情報と、前記第１記録位置情報と共に前記情報単位毎に前記処理記録情報に多重された当該第１記録位置情報に対応したＶＯＢユニットアドレスＢ等の第２記録位置情報であって、前記再生時間軸上において前記所定の範囲にある再生すべき前記映像情報の前記記録位置を示す第２記録位置情報とが、前記第１記録位置情報及び前記第２記録位置情報を前記一の情報単位毎に前記処理記録情報に挿入することにより多重されて記録されている前記情報記録媒体から前記記録情報を再生する再生装置であって、制御信号に基づいて、前記情報記録媒体から前記処理記録情報並びに前記第１記録位置情報及び前記第２記録位置情報を検出すると共に復調し、復調信号を出力するピックアップ、復調訂正部等の検出復調手段と、前記復調信号から、前記第１記録位置情報及び前記第２記録位置情報を抽出するシステムバッファ等の抽出手段と、前記抽出された第１記録位置情報及び第２記録位置情報に基づいて、前記制御信号を出力するシステムコントローラ等の制御手段と、を備えて構成される。
【００３３】
請求項９に記載の発明の作用によれば、記録情報に対して所定の信号処理を施すことにより生成された処理記録情報と第１記録位置情報と第２記録位置情報とが、第１記録位置情報及び第２記録位置情報を一の情報単位毎に処理記録情報に挿入することにより多重されて記録されている情報記録媒体から、制御信号に基づいて処理記録情報並びに第１記録位置情報及び第２記録位置情報を検出すると共に復調し、復調信号を出力する。
【００３４】
そして、抽出手段は、復調信号から第１記録位置情報及び第２記録位置情報を抽出する。その後、制御手段は、抽出された第１記録位置情報及び第２記録位置情報に基づいて、上記制御信号を出力する。
【００３５】
よって、再生すべき情報単位の記録位置が記録された第１記録位置情報と再生すべき映像情報の記録位置が記録された第２記録位置情報に基づいて記録情報を再生することにより、再生すべき映像情報を迅速に検索して再生することができる。
【００３６】
上記の課題を解決するために、請求項１０に記載の発明は、請求項９に記載の再生装置において、前記映像情報は、前記記録情報の再生時における動画に対応する映像情報と前記再生時における静止画に対応する映像情報とを含み、前記第２記録位置情報は、動画に対応する前記映像情報の前記記録位置又は静止画に対応する前記映像情報の前記記録位置を示す情報であるように構成される。
【００３７】
請求項１０に記載の発明の作用によれば、請求項９に記載の発明の作用に加えて、映像情報は、動画に対応する映像情報と静止画に対応する映像情報とを含み、第２記録位置情報は、動画に対応する映像情報の記録位置又は静止画に対応する映像情報の記録位置を示す情報であるので、再生時において静止画が連続するときでも、次に再生すべき動画又は静止画を迅速に検索して再生することができる。
【００３８】
上記の課題を解決するために、請求項１１に記載の発明は、ビデオデータ等の映像情報及び他の記録すべき情報よりなる前記記録情報に対してＭＰＥＧ２方式等の所定の信号処理を施すことにより生成された処理記録情報と、前記処理記録情報を構成するＶＯＢユニット等の情報単位毎に前記処理記録情報に多重されるＶＯＢユニットアドレスＡ等の記録位置情報であって、前記記録情報の再生時間軸上において一の前記情報単位の前後の予め設定された所定の範囲にある前記記録情報の再生時刻に対応する前記情報単位の、前記情報単位が記録されたＤＶＤ等の情報記録媒体上の記録位置を示す記録位置情報と、前記記録位置情報と共に前記情報単位毎に前記処理記録情報に多重された当該記録位置情報に対応した存在情報等の映像有無情報であって、当該記録位置情報によって前記記録位置が示される夫々の前記情報単位における前記映像情報の有無を示す映像有無情報とが、前記記録位置情報及び前記映像有無情報を前記一の情報単位毎に前記処理記録情報に挿入することにより多重されて記録されている前記情報記録媒体から前記記録情報を再生する再生装置であって、制御信号に基づいて、前記情報記録媒体から前記処理記録情報並びに前記記録位置情報及び前記映像有無情報を検出すると共に復調し、復調信号を出力するピックアップ、復調訂正部等の検出復調手段と、前記復調信号から前記記録位置情報及び前記映像有無情報を抽出するシステムバッファ等の抽出手段と、前記抽出された記録位置情報及び映像有無情報に基づいて、前記制御信号を出力するシステムコントローラ等の制御手段と、を備えて構成される。
【００３９】
請求項１１に記載の発明の作用によれば、検出復調手段は、記録情報に対して所定の信号処理を施すことにより生成された処理記録情報と記録位置情報と映像有無情報とが、記録位置情報及び映像有無情報を一の情報単位毎に処理記録情報に挿入することにより多重されて記録されている情報記録媒体から、制御信号に基づいて、処理記録情報並びに記録位置情報及び映像有無情報を検出すると共に復調し、復調信号を出力する。
【００４０】
そして、抽出手段は、復調信号から記録位置情報及び映像有無情報を抽出する。 その後、制御手段は、抽出された記録位置情報及び映像有無情報に基づいて、制御信号を出力する。
【００４１】
よって、再生すべき情報単位の記録位置が記録された記録位置情報及び情報単位における再生すべき映像情報の有無を示す映像有無情報に基づいて再生することにより、再生すべき記録情報を迅速に検索して再生することができると共に、情報単位中に映像情報が含まれていないときには、当該映像情報が記録されていない情報単位を検索せずに再生することができ、映像情報の再生を途切れることなく行うことができる。
【００４２】
上記の課題を解決するために、請求項１２に記載の発明は、請求項１１に記載の再生装置において、前記映像情報は、動画に対応する映像情報と静止画に対応する映像情報とを含み、前記映像有無情報は、動画に対応する前記映像情報の有無又は静止画に対応する前記映像情報の有無を示す情報であるように構成される。
【００４３】
請求項１２に記載の発明の作用によれば、請求項１１に記載の発明の作用に加えて、映像情報は動画に対応する映像情報と静止画に対応する映像情報とを含み、映像有無情報は動画に対応する映像情報の有無又は静止画に対応する映像情報の有無を示す情報であるので、静止画が連続するときでも、次に再生すべき動画又は静止画を迅速に検索して再生することができると共に、情報単位中に動画又は静止画が含まれていないときには、当該動画又は静止画が記録されていない情報単位を検索せずに再生することができ、映像情報の再生を途切れることなく行うことができる。
【発明を実施するための最良の形態】
【００４４】
次に、本発明に好適な実施の形態について説明する。なお、以下に説明する実施の形態は、上記ＤＶＤに対して本発明を適用した実施の形態について説明するものである。
【００４５】
なお、以下の実施の形態においては、下記リストの左側に示した特許請求の範囲における各構成要素の一例が、下記リストの右側に示した要素から夫々構成されている。
情報単位………………………………：ＶＯＢＵ（VOB-Unit）
第１記録位置情報、記録位置情報…：ＶＯＢユニットアドレスＡ
第２記録位置情報……………………：ＶＯＢユニットアドレスＢ
映像有無情報…………………………：存在情報
（Ｉ）情報記録媒体の実施の形態始めに、請求項５乃至８に記載の発明に対応する情報記録媒体の実施の一形態であるＤＶＤの物理的及び論理的な構成並びにその動作について、図１乃至図１０を用いて説明する。
【００４６】
始めに、映像情報及び音声情報（音楽情報も含む。以下、同じ）のＤＶＤ上における記録フォーマット（物理的記録フォーマット）について、図１を用いて説明する。
【００４７】
図１に示すように、実施形態のＤＶＤ１は、その最内周部にリードインエリアＬＩを有すると共にその最外周部にリードアウトエリアＬＯを有しており、その間に、映像情報（再生時における動画及び静止画を含むものとする。）及び音声情報が、夫々にＩＤ（識別）番号を有する複数のＶＴＳ３（ＶＴＳ＃１乃至ＶＴＳ＃ｎ）に分割されて記憶されている。ここで、ＶＴＳ（Video Title Set）とは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語のセリフ等を有する複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録される。
【００４８】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００４９】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information）等の情報が記録される。また、各ＶＯＢ１０には、制御情報の他に映像情報及び音声情報の実体部分（制御情報以外の画像又は音声そのもの）が記録されている。
【００５０】
更に、一のＶＯＢ１０は、夫々にＩＤ番号を有する複数のセル２０により構成されている。ここで、一のＶＯＢ１０は、複数のセル２０により完結するように構成されており、一のセル２０が二のＶＯＢ１０に跨がることはない。
【００５１】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副画像の情報をいう。）のいずれかを含む一つの単位である。
【００５２】
そして、一のＶＯＢユニット３０は、ＶＯＢユニット３０に含まれている映像情報等を制御対象とする制御情報が格納されているナビパック４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ１に記録可能な音声は８種類であり、記録可能な副映像の種類は３２種類であることが規格上定められている。
【００５３】
また、一のＶＯＢユニット３０に対応する再生時間（一のナビパック４１と当該一のナビパック４１に隣り合うナビパック４１との間に記録されているデータに対応する再生時間）は、０．４秒以上の長さを有するように記録される。
【００５４】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００５５】
ここで、図１に示すビデオデータ４２、オーディオデータ４３及びサブピクチャデータ４４の夫々の区分を一般にパックＰという。すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。そして、これらのパックＰは、ＤＶＤ１上に記録情報を記録する際に用いられる後述のＭＰＥＧ２方式に基づいて設定される記録単位であり、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報や、パックＰの開始であることを示すスタートコード等が記録される。また、上記各パックＰについては、通常、当該パックＰを更に細分化した記録単位であるパケット毎にビデオデータ４２、オーディオデータ４３及びサブピクチャデータ４４が記録されるが、本実施の形態におけるＤＶＤ１では、一般に一のパックＰが一のパケットにより構成されている。
【００５６】
最後に、ナビパック４１は、再生表示させたい映像又は音声等を検索するための検索情報（具体的には、当該再生表示させたい映像又は音声等が記録されているＤＶＤ１上のアドレス等）であるＤＳＩ（Data Search Information）データ５１と、ＤＳＩデータ５１に基づいて検索された映像又は音声等を表示する際の再生表示制御に関する情報であるＰＣＩ（Presentation Control Information）データ５０とにより構成される。このとき、ＤＳＩデータ５１及びＰＣＩデータ５０は、パケットＰＴとして夫々ＤＳＩパケット及びＰＣＩパケットを構成して記録されている。
【００５７】
更に、一のＶＯＢユニット３０に含まれている全てのビデオデータ４２は、一又は複数のＧＯＰ（Group Of Picture）により構成されている。なお、ＰＣＩデータ５０には、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）の設定が行われる。
【００５８】
更に、メニュー画面を構成して表示するために必要な、枠、選択ボタン等を表示するための画像情報は、上記の副映像情報であるサブピクチャデータ４４として記録される。
【００５９】
また、ハイライト情報内に、後述の再生装置におけるシステムコントローラ内のレジスタ（メモリ）の値を設定するための情報を含ませることもできる。この点について、例えば、ＤＶＤ１に記録されている記録情報が教育用ソフトウェアである場合を用いて説明すると、教育用ソフトウェアにおいては、テスト問題を表示部に表示し、次に複数個の解答候補を視聴者が選択する選択項目としてサブピクチャデータ４４を用いて表示する場合がある。このとき、ハイライト情報には個々の選択項目に対応するコマンド情報が含まれており、問題の正解に対応する選択項目が視聴者により選択された場合に、システムコントローラは、当該選択項目に対応するハイライト情報内のコマンド情報により、当該システムコントローラに含まれる所定のレジスタに正解に対応する所定の得点を加算し、不正解の選択項目が選択された場合には得点の加算を行わないようにする。以下、同様に所定数の問題について出題と解答を繰返し、全ての解答終了後に、システムコントローラは、他のコマンド情報（例えば、ＰＧＣＩ内のコマンド情報）により、得点を累積した上記所定のレジスタを参照し、得点が予め設定されている所定の値より大きければ次の学習段階の問題等が記録されているＤＶＤ１上の記録位置にピックアップをジャンプさせ、反対に得点が所定の値より小さければ復習のソフトウェアが記録されている記録位置にピックアップをジャンプさせることを行う。以上の例のように、ハイライト情報によりシステムコントローラ内のレジスタを設定することも可能なのである。
【００６０】
一方、上記ＧＯＰは、本実施の形態におけるＤＶＤ１に映像情報を記録する際に採用されている画像圧縮方式であるＭＰＥＧ２（Moving Picture Experts Group ２）方式の規格において定められている単独で再生可能な最小の画像単位である。
【００６１】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算により生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００６２】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture ：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成された予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００６３】
なお、本実施の形態に係るＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００６４】
以上説明した図１に示す階層構造の記録フォーマットにおいて、夫々の区分は、ＤＶＤ１内に記録される記録情報の製作者（以下、単に製作者という。）がその意図に応じて自在に区分設定をして記録させるものである。これらの区分毎に後述の論理構造に基づいて再生することにより、変化に富んだ種々の再生が可能となるのである。
【００６５】
次に、図１に示す物理的な区分により記録された情報を組合わせた論理的フォーマット（論理構造）について図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【００６６】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part Of Title）という。
【００６７】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを行うことも可能となっている。
【００６８】
ここで、一のセル２０の番号については、当該セル２０を図１に示す物理フォーマットにおいて取り扱う際にはセルＩＤ番号として取り扱われ（図１中、セルＩＤ＃と示す。）、図３に示す論理フォーマットにおいて取り扱う際には後述のＰＧＣＩ中の記述順にセル番号として取り扱われる。
【００６９】
次に、複数のプログラム６０を組合わせて一のＰＧＣ（Program Chain）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［本実施形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ、又はループ再生とランダム再生又はシャッフル再生の組合わせによる再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【００７０】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００７１】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記録されている順番にセル２０を再生する方法（連続配置セルの再生）の他に、ＤＶＤ１に記録されている順序に関係なく再生する（例えば、後に記録されているセル２０を先に再生する等）方法（非連続配置セルの再生）を製作者が選択することができる。
【００７２】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００７３】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。
【００７４】
また、図３に示す一のＶＴＳ６３に相当する情報は、図１に示す一のＶＴＳ３に含まれている情報に対応している。すなわち、ＤＶＤ１には、図３に示すＶＴＳ６３内に論理上含まれる全ての情報が一のＶＴＳ３として纏めて記録されていることとなる。
【００７５】
以上説明した論理フォーマットに基づいて、物理構造において区分された情報を製作者が指定することにより、視聴者が見るべき映像（映画等）が形成されるのである。
【００７６】
なお、図１に示す物理構造の説明においては、内容の理解の容易化のため、複数のセル２０がＩＤ番号の順に記録されているとして説明したが、実施形態のＤＶＤ１においては、実際には、一のセル２０が図４に示す複数のインターリーブドユニットＩＵに分割されて記録される場合がある。
【００７７】
すなわち、例えば図４に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に纏められて相互に分離して記録されていると、例えば、ＰＧＣ６１Ａの場合には、ＩＤ番号２のセル２０のＤＶＤ１上の記録位置からＩＤ番号４のセル２０のＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００７８】
そこで、図４に示す場合には、ＩＤ番号２のセル２０とＩＤ番号３のセル２０を、後述の再生装置におけるトラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけ再生装置におけるピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【００７９】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【００８０】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【００８１】
以上説明したような種々の階層の情報を記録する必要があるため、上述の記録フォーマットを有する情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
【００８２】
次に、上記の物理構造及び論理構造を有する映像情報及び音声情報のうち、特に本発明に係るＤＳＩデータ５１について、図５を用いて説明する。ＤＳＩデータ５１には、上述のように、表示させたい映像を検索するための検索情報、すなわち、より具体的には、上記ＶＯＢユニット３０の単位で表示させたい映像を検索するための情報及び上記シームレス再生を行うための情報が記述される。
【００８３】
これらの情報を分類すると、以下のように分類される。
（１）視聴者から指定されたある動作の開始時点において、予め後述の再生装置における各構成部材のタイミングを設定するための情報（２）後述の再生装置におけるピックアップの図３に示す論理構造上のデータ区分に対応するＤＶＤ１上の位置を知るための情報（３）再生表示しようとするデータのみを後述の再生装置におけるトラックバッファに書き込むための情報（４）アクセス（検出）したいデータのＤＶＤ１上の記録位置（目標位置）を示す情報（５）アクセスのためにデータをサーチした際、所望のデータのアドレスが検出できなかったときに他のデータ等を保護するための保護情報次に、上記のように分類された情報が記録されるＤＳＩデータ５１内に、上記の夫々の情報が具体的にどのように記録されるかについて、図５を用いて説明する。
【００８４】
図５に示すように、ＤＳＩデータ５１は、具体的には、一のＤＳＩデータ５１内で共通に使用される一般情報と、シームレス再生のためのシームレス情報と、後述のアングル再生を行うためのアングル飛び先情報と、所望のＶＯＢユニット３０を検索するためのＶＯＢユニットサーチ情報と、当該ＤＳＩデータ５１が含まれているＶＯＢユニット３０と同期して表示又は出力すべきサブピクチャデータ４４又はオーディオデータ４３に関する情報である同期再生情報とにより構成される。このうち、ＶＯＢユニットサーチ情報は、特に、映像を出力しながらの早送り又は巻戻し、若しくはＮ倍速再生等の特殊再生を行う時に活用される。
【００８５】
ここで、上記アングル飛び先情報が適用されるアングル再生について概要を説明すると、本実施形態のＤＶＤ１には、例えば、一の映画（タイトル６２）について、同じ時間軸上の場面を複数の視点から見た映像情報を記録することが可能である。すなわち、より具体的には、一の映画について、それに出演している男優の視点からある情景を見た映像と、女優の視点から同じ情景を見た映像とを記録することが可能なのである。そして、これらの映像を、上記ハイライト情報に基づくメニュー画面を用いた視聴者の選択により切り換えて再生することが可能となるのであり、これをアングル切り換え再生という。
【００８６】
また、図５に示す各情報について更に説明すると、一般情報としては、視聴者から指定されたある動作について、予め後述の再生装置における各構成部材の再生開始タイミングを設定するための時間情報と、図３R>３に示す論理構造を構成するための各データのＤＶＤ１上の記録位置（論理アドレス）と、データサーチの際、所望のデータのアドレスが検出できなかったときに他のデータ等を保護するための保護情報と、後述の再生装置におけるタイムサーチ動作のための時間情報（セル２０内の経過時間情報等）とが記録される。
【００８７】
また、シームレス情報としては、シームレス再生に必要な各データのＤＶＤ１上の記録位置（論理アドレス）と、シームレス再生において、各再生画面の接続のタイミングを予め設定するための時間情報とが記録される。
【００８８】
更に、アングル飛び先情報としては、シームレス（連続的）にアングルを切り換えてアングル切り換え再生を行うための再生すべきデータのＤＶＤ１上の記録位置を示すアドレス情報が記録されている。
【００８９】
また、ＶＯＢユニットサーチ情報としては、当該ＤＳＩデータ５１の近傍の所定の範囲に存在する他のＶＯＢユニット３０（すなわち、他のナビパック４１）のＤＶＤ１上の記録位置を示すアドレス情報が記録されている。
【００９０】
最後に、同期再生情報としては、当該ＤＳＩデータ５１が含まれているＶＯＢユニット３０と同期して表示又は出力すべきサブピクチャデータ４４又はオーディオデータ４３のＤＶＤ１上の記録位置を示すアドレス情報が記録されている。
【００９１】
以上説明した各情報を含むＤＳＩデータ５１を用いることにより、後述の再生装置において、タイムサーチ動作等の処理が可能となるのである。次に、上記各情報のうち、本発明に係るＶＯＢユニットサーチ情報について更に詳細に図６を用いて説明する。なお、図６R>６は、ＶＯＢユニットサーチ情報として記述される情報と、実際のＤＶＤ１上の記録位置並びに再生時間との関係を示している。また、図６において、「ＦＷＤ」はＤＶＤ１の記録位置について前方（再生時間軸上において後）であることを示し、「ＢＷＤ」はＤＶＤ１の記録位置について後方（再生時間軸上において前）であることを示している。
【００９２】
図６に示すように、一のナビパック４１内に記述されるＶＯＢユニットサーチ情報には、例えば、当該一のナビパック４１を図６に「＊」印で示すナビパック４１Ａとすると、当該ナビパック４１Ａから０．５秒×ｎ（ｎは自然数）秒後に再生開始されるか或は再生されているべきデータ含むＶＯＢユニット３０、又は０．５秒×ｎ（ｎは自然数）秒前に既に再生開始されたか或は再生されていたデータを含むＶＯＢユニット３０のＤＶＤ１上の記録位置を示すアドレス情報が各時間毎に記述される。より具体的には、図６に示す場合には、ＦＷＤ１に対応するＶＯＢユニットサーチ情報は、ナビパック４１Ａを有するＶＯＢユニット＃０から０．５秒後に再生開始されるか或は再生されているべきＶＯＢユニットが記述される。図６の場合には、ＶＯＢユニット＃０が再生時間０．６秒であるので、ＦＷＤ１に対応するＶＯＢユニットサーチ情報には、ＶＯＢユニット＃０自身のＤＶＤ１上の記録位置を示すアドレス情報が記述されている。
【００９３】
また、ＦＷＤ２に対応するＶＯＢユニットサーチ情報は、ナビパック４１Ａを有するＶＯＢユニット＃０から１．０秒（０．５×２）後に再生開始されるか或は再生されているべきＶＯＢユニットが記述される。図６の場合には、ＶＯＢユニット＃０が再生時間０．６秒であり、ＶＯＢユニット＃１も再生時間０．６秒であるので、ＦＷＤ２に対応するＶＯＢユニットサーチ情報には、ナビパック４１Ａから１秒後に再生開始されるか或は再生されているべきＶＯＢユニット３０、すなわち、ＶＯＢユニット＃１のＤＶＤ１上の記録位置を示すアドレス情報が記述されている。以下、同様にして、一のナビパック４１内のＶＯＢユニットサーチ情報には、当該一のナビパック４１を基点として前後２分の再生時間に対応するＶＯＢユニット３０のアドレス情報が記述される。上記の要領で記述されたＶＯＢユニットサーチ情報の例を図７に示す。なお、図７において、「ＦＷＤＡ」は前方のアドレスを示し、「ＢＷＤＡ」は後方のアドレスを示している。
【００９４】
ところで、ＤＶＤ１に記録される映像情報には、上述のように動画及び静止画の双方が含まれている。従って、各ＶＯＢユニット３０に含まれる映像情報も動画に対応する映像情報と静止画に対応する映像情報とが記録されることとなるが、この場合、当該ＶＯＢユニット３０においては、動画のみが含まれているＶＯＢユニット３０と、動画と静止画の双方が含まれているＶＯＢユニット３０と、静止画のみが含まれているＶＯＢユニット３０と、ビデオデータ４２がなくナビパック４１のみが含まれているＶＯＢユニット３０とが存在することとなる。
【００９５】
すなわち、具体例を図８に示すと、動画のみが含まれているＶＯＢユニット３０はＶＯＢユニット＃１及び＃９であり、動画と静止画の双方が含まれているＶＯＢユニット３０はＶＯＢユニット＃２及び＃１０であり、静止画のみが含まれているＶＯＢユニット３０はＶＯＢユニット＃５であり、ビデオデータ４２がなくナビパック４１のみが含まれているＶＯＢユニット３０は、ＶＯＢユニット＃３、＃４、＃６、＃７及び＃８である。このとき、ＤＶＤ１上では、ナビパック４１のみが連続して記録される（図８では、ナビパック４１Ｃ、４１Ｄ、４１Ｅ、４１Ｆ、４１Ｇ、４１Ｈ及び４１Ｉが相当する。）こととなる。なお、図８においては、映像情報としてのビデオデータ４２以外の、オーディオデータ４３又はサブピクチャデータ４４については、図示を省略している。
【００９６】
図８の場合、ＶＯＢユニットサーチ情報について、図７に示すように、単純に所定時間後（又は所定時間前）に対応するＶＯＢユニット３０のアドレスのみを記述することとすると、記述されたＶＯＢユニット３０がナビパック４１のみのＶＯＢユニット３０であった場合に、そこへ後述の再生装置のピックアップを移動させても当該ＶＯＢユニット３０には再生すべきデータがないので、映像又は音声が全く出力されない場合が生じてくることとなる。より具体的には、単純に所定時間後（又は所定時間前）に対応するＶＯＢユニット３０のアドレスのみを記述したとき、図８の場合において、ナビパック４１Ａに記述されているＶＯＢユニットサーチ情報に基づいて例えば、２秒後、４秒後及び６秒後をスキャン操作（飛越操作）等でサーチしたとしても、夫々のタイミングにおけるＶＯＢユニット３０にはビデオデータ４２がないので、映像が出力されないのである。
【００９７】
以上説明したように、ＶＯＢユニット３０は各再生時刻に対応するナビパック４１をその先頭に必ず含んでいるが、当該再生時刻に再生すべきビデオデータ４２やオーディオデータ４３又はサブピクチャデータ４４等の実体データが必ずしもその後に継続して記録されている保証はない。そこで、同じ再生時刻に再生すべきビデオデータ４２やオーディオデータ４３又はサブピクチャデータ４４等の実体データのＤＶＤ１上の記録位置を取得するためには、当該記録位置に関する記録位置情報を、再生すべきビデオデータ４２等の先頭に記録されているナビパック４１内に記述すると共に、所望の再生時刻に対応するデータを再生する場合に、その再生時刻に対応するＶＯＢユニット３０の先頭のナビパック４１を必ず取得してそこに記述されている上記記録位置情報により、当該再生すべき実体データのＤＶＤ１上の記録位置を知るようにすることが便利である。
【００９８】
そこで、本発明では、ナビパック４１内のＤＳＩデータ５１に、以下に示す各実施形態のようなＶＯＢユニットサーチ情報を含ませることとするのである。
（Ａ）ＶＯＢユニットサーチ情報の第１実施形態
初めに、ＶＯＢユニットサーチ情報の第１実施形態について説明する。
【００９９】
ＶＯＢユニットサーチ情報の第１実施形態においては、所定時間後（又は所定時間前）に対応するＶＯＢユニット３０のアドレスを記述する他に、ＶＯＢユニットサーチ情報として記述されるアドレスとして、そのＶＯＢユニットサーチ情報が記述されるナビパック４１を基準として、夫々の再生時間において実際に再生すべき映像に対応するビデオデータ４２（図１参照）を含むＶＯＢユニット３０のアドレスを記述する。
【０１００】
図８に示す例に基づき、図７に示す用語を用いてより具体的に第１実施形態のＶＯＢユニットサーチ情報を示すと、例えば、図９に示すように構成される。図９において、ＶＯＢユニットアドレスＡは、ナビパック４１Ａから所定時間後（又は所定時間前）に対応するＶＯＢユニット３０のアドレスを記述するものであり、ＶＯＢユニットアドレスＢは、ナビパック４１Ａから所定時間後（又は所定時間前）に実際に再生（出画）すべきビデオデータ４２が含まれているＶＯＢユニット３０のアドレスを示すものである。ここで、前者は夫々のＶＯＢユニット３０に含まれているナビパック４１を検索し、そこに記載されている情報を用いて種々の検索動作（ビデオデータ４２以外の他のデータ（オーディオデータ４３又はサブピクチャデータ４４）を対象とした検索動作）を行うためのものであり、後者は、実際にその時刻において再生すべきビデオデータ４２を検索するためのものである。
【０１０１】
ここで、本実施形態の特徴であるＶＯＢユニットアドレスＢについて説明すると、ナビパック４１Ａから１秒後（「ＦＷＤＡ２」）に再生すべきビデオデータ４２（静止画Ａ）が記録されているＶＯＢユニット３０は、図８より、ＶＯＢユニット＃２であるので、そのアドレスである「５」が記述されている。そして、ナビパック４１Ａから２秒後（「ＦＷＤＡ４」）に再生すべきビデオデータ４２（やはり静止画Ａ）が記録されているＶＯＢユニット３０は、同様にＶＯＢユニット＃２であるので、そのアドレスである「５」が記述されている。
【０１０２】
一方、ナビパック４１Ａから４秒後（「ＦＷＤＡ８」）に再生すべきビデオデータ４２（静止画Ｂ）が記録されているＶＯＢユニット３０は、ＶＯＢユニット＃５であるので、そのアドレスである「１４」が記述されている。以下、同様に、当該ナビパック４１Ａに記述されるＶＯＢユニットサーチ情報には、夫々の再生時間において実際に再生すべき映像に対応するＶＯＢユニット３０のアドレスが記述されるのである。このとき、同じ静止画を出力すべき期間においては、同じＶＯＢユニット３０のアドレスが記述されることとなる。
【０１０３】
このように記述されたＶＯＢユニットサーチ情報を用いることにより、実際に再生すべきビデオデータ４２が含まれているＶＯＢユニット３０を検索することができるので、映像が途切れたりすることなく再生することができるのである。（Ｂ）ＶＯＢユニットサーチ情報の第２実施形態次に、ＶＯＢユニットサーチ情報の第２実施形態について説明する。
【０１０４】
上述のＶＯＢユニットサーチ情報の第１実施形態においては、所定時間後（又は所定時間前）に対応するＶＯＢユニット３０のアドレス（ＶＯＢユニットアドレスＡ）を記述する他に、ＶＯＢユニットサーチ情報として記述されるアドレスとして、そのＶＯＢユニットサーチ情報が記述されるナビパック４１を基準として、夫々の再生時間において実際に再生すべき映像に対応するビデオデータ４２を含むＶＯＢユニット３０のアドレスを記述したが、第２実施形態においては、所定時間後（又は所定時間前）に対応するＶＯＢユニット３０のアドレスを記述する際に空白となっている領域を用いて夫々のＶＯＢユニット３０におけるビデオデータ４２の有無及び所定の再生時間の範囲内に対応するＶＯＢユニット３０におけるビデオデータ４２の有無のみを記述する。
【０１０５】
図８に示す例に基づき、図７に示す用語を用いてより具体的に第２実施形態のＶＯＢユニットサーチ情報を示すと、例えば、図１０に示すように構成される。図１０において、ＶＯＢユニットアドレスＡは、上記第１実施形態の場合と同様にナビパック４１Ａから所定時間後（又は所定時間前）に対応するＶＯＢユニット３０のアドレスを記述するものである。
【０１０６】
次に、存在情報Ａ（１ビット）は、夫々の再生時間毎のビデオデータ４２の有無を記述するものであり、具体的には、ＶＯＢユニットアドレスＡの欄にアドレスが記述されている夫々のＶＯＢユニット３０に対応して、夫々のＶＯＢユニット３０にビデオデータ４２（動画又は静止画）が存在しているか否かが記述される。図１０の場合には、図８においてビデオデータ４２が存在しているＶＯＢユニット３０は夫々ＶＯＢユニット＃１、＃２、＃５、＃９及び＃１０であるので、そのＶＯＢユニット３０が記述されている位置の存在情報Ａには「１」が記述されている。
【０１０７】
一方、存在情報Ｂ（１ビット）は、所定の再生時間の範囲内のビデオデータ４２の有無を記述するものであり、図１０における「ＦＷＤＡ１」乃至「ＦＷＤＡ１５」及び「ＢＷＤＡ１」乃至「ＢＷＤＡ１５」には「０」が記述される。これは、当該再生時間の範囲においては、存在情報Ａの内容と同じ内容が記述されることとなるので、重複した記載を避けるためである。
【０１０８】
一方、「ＦＷＤＡ２０」、「ＦＷＤＡ６０」、「ＦＷＤＡ１２０」及び「ＦＷＤＡ２４０」に対応する存在情報Ｂについては、例えば、「ＦＷＤＡ２０」に対応する存在情報Ｂは、図１０において当該「ＦＷＤＡ２０」に対応する存在情報Ｂの一つ前に記述されている（すなわち、「ＦＷＤＡ１５」に記述されている）ＶＯＢユニット３０の次のＶＯＢユニット３０（図８R>８において、ＶＯＢユニット＃１０の次のＶＯＢユニット３０）から当該「ＦＷＤＡ２０」に対応するＶＯＢユニット３０の一つ前のＶＯＢユニット３０までの間にビデオデータ４２が存在するときは「１」を記述し、存在しないときは「０」を記述する。同様に「ＦＷＤＡ６０」、「ＦＷＤＡ１２０」及び「ＦＷＤＡ２４０」に対応する存在情報Ｂでは、図１０において夫々の存在情報Ｂの一つ前に記述されているＶＯＢユニット３０の次のＶＯＢユニット３０から夫々の存在情報Ｂに対応するＶＯＢユニット３０の一つ前のＶＯＢユニット３０までの間にビデオデータ４２が存在するときは「１」を記述し、存在しないときは「０」を記述する。
【０１０９】
また、「ＢＷＤＡ２０」、「ＢＷＤＡ６０」、「ＢＷＤＡ１２０」及び「ＢＷＤＡ２４０」に対応する存在情報Ｂについては、図１０において夫々の存在情報Ｂの一つ後（図１０において一つ上）に記述されているＶＯＢユニット３０の次のＶＯＢユニット３０から夫々の存在情報Ｂに対応するＶＯＢユニット３０の一つ後のＶＯＢユニット３０までの間にビデオデータ４２が存在するときは「１」を記述し、存在しないときは「０」を記述する。
【０１１０】
このように記述されたＶＯＢユニットサーチ情報を後述の再生装置において説明する如く活用することにより、第１実施形態と同様に映像が途切れたりすることなく再生することができる。更に、第１実施形態では、ＶＯＢユニットアドレスＡと同じ容量の領域を更に確保してＶＯＢユニットアドレスＢを記述する必要があることからＶＯＢユニットサーチ情報を構成するための記録領域が多く必要であるのに対し、第２実施形態の構成によれば、ＶＯＢユニットアドレスＡを記述する際の余った領域を用いて存在情報Ａ及びＢを記述できるので、ＶＯＢユニットサーチ情報を構成するための記録領域が少なくすることができるという利点がある。このため、実際には、上記第２実施形態のＶＯＢユニットサーチ情報がＤＶＤ１に記録される。
（II）記録装置の実施形態
次に、上述のＶＯＢユニットサーチ情報を含む制御情報、映像情報及び音声情報をＤＶＤ１に記録するための請求項１乃至４に記載の発明に対応する記録装置の実施形態について、図１１を用いて説明する。
【０１１１】
図１１に示すように、実施形態に係る記録装置Ｓ1は、ＶＴＲ（Video Tape Recorder）７０と、メモリ７１と、信号処理手段としての信号処理部７２と、ハードディスク装置７３及び７４と、多重手段としてのコントローラ７５と、多重手段としての多重器７５と、変調器７７と、記録手段としてのマスタリング装置７８とにより構成されている。
【０１１２】
次に、動作を説明する。ＶＴＲ７０には、ＤＶＤ１に記録すべき音声情報や映像情報等の素材である記録情報Ｒが夫々の情報毎に一時的に記録されている。そして、ＶＴＲ７０に一時的に記録された記録情報Ｒは、信号処理部７２からの要求により音声情報又は映像情報毎に当該信号処理部７２に出力される。
【０１１３】
信号処理部７２は、ＶＴＲ７０から出力された記録情報ＲをＡ／Ｄ変換した後、ＭＰＥＧ２方式を用いて圧縮処理し、音声情報と映像情報とを時間軸多重すると共に、当該音声情報と映像情報に多重して記録すべき上記ナビパック４１を挿入すべき位置に当該ナビパック４１に対応するスペースを設け、圧縮多重信号Ｓrとして出力する。その後、出力された圧縮多重信号Ｓrは、ハードディスク装置７３に一時的に記憶される。
【０１１４】
これらと並行して、メモリ７１は、上記記録情報Ｒの再生を制御するための制御情報（図１における、ビデオマネージャ２、コントロールデータ１１、ナビパック４１、ＰＣＩデータ５０及び上記第１実施形態又は第２実施形態のＶＯＢユニットサーチ情報を含むＤＳＩデータ５１等）が記載されたキューシートＳＴに基づき予め入力された当該制御情報を一時的に記憶し、信号処理部７２からの要求に基づいて制御情報信号Ｓiとして出力する。
【０１１５】
そして、信号処理部７２は、ＶＴＲ７０から出力される上記記録情報Ｒに対応したタイムコードＴt 及びメモリ７１から出力される制御情報信号Ｓi に基づき、タイムコードＴt を参照して制御情報から上述のＶＯＢユニットサーチ情報を含むＤＳＩデータ５１を分離し、対応するサーチ情報信号Ｓacとして出力し、当該サーチ情報信号Ｓacがハードディスク装置７４に一時的に記憶される。このとき、ＤＳＩデータ５１以外のメモリ７１に記憶されている制御情報については、図１１においては図示を省略しているが、ＤＳＩデータ５１と同様に信号処理部７２において夫々に分離され、ハードディスク装置７４に記憶される。
【０１１６】
以上の処理が記録情報Ｒ全体について実行される。記録情報Ｒの全てについて上記の処理が終了すると、コントローラ７５は、ハードディスク装置７３から圧縮多重信号Ｓr を読み出すとともにハードディスク装置７４からサーチ情報信号Ｓac及びその他の制御情報を読み出し、これらに基づいてＶＯＢユニットサーチ情報を含むＤＳＩデータ５１及びその他の制御情報を夫々独立に含む付加情報を生成し、当該付加情報に対応する付加情報信号Ｓaをハードディスク装置７４に一時的に再記録する。これは、各制御情報の中には、圧縮多重信号Ｓrの生成結果によってその内容が決まるものがあるからである。
【０１１７】
一方、コントローラ７５は、上記信号処理部７２、ハードディスク装置７３及び７４の夫々の動作の時間管理を行い、圧縮多重信号Ｓrと付加情報信号Ｓaを時間軸多重するための情報選択信号Ｓccを生成して出力する。
【０１１８】
その後、圧縮多重信号Ｓr と付加情報信号Ｓa は、コントローラ７５からの情報選択信号Ｓcc に基づき、ハードディスク装置７３又は７４から再度読み出され、多重器７６により時間軸多重され、圧縮多重信号Ｓrにおける上記ナビパック４１用のスペース内に付加情報信号Ｓaに対応する付加情報内のＤＳＩデータ５１等の制御情報が記述されて情報付加圧縮多重信号Ｓapとして出力される。この情報付加圧縮多重信号Ｓapの段階では、記録すべき情報は、コントローラ７５の情報選択信号Ｓccを用いた切り換え動作によってナビパック４１等の制御情報と映像情報及び音声情報とが合成され、図１に示す物理構造（物理フォーマット）となっている。そして、上記ＶＯＢユニットサーチ情報については、対応するＤＳＩデータ５１に含まれると共に、対応するナビパック４１に含まれていることとなる。
【０１１９】
なお、記録すべき情報の中に副映像情報が含まれている場合には、図示しない他のハードディスク装置から読み出されて信号処理部７２に入力され、映像情報及び音声情報と同様に信号処理され、情報付加圧縮多重信号Ｓapに含まれる。
【０１２０】
その後、変調器７７は、出力された情報付加圧縮多重信号Ｓapに対してリードソロモン符号等のエラー訂正コード（ＥＣＣ）の付加及び８−１６変調等の変調を施してディスク記録信号Ｓmを生成し、マスタリング装置７８に出力する。
【０１２１】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【０１２２】
以上の記録装置Ｓ1の動作により、上記第１実施形態又は第２実施形形態のＶＯＢユニットサーチ情報を含む記録情報がＤＶＤ１に記録されることとなる。従って、当該記録された記録情報を再生する際に上記ＶＯＢユニットサーチ情報を用いれば、再生すべき映像情報を迅速に検索して再生することができ、正確且つスムーズに映像情報を再生しつつ記録情報の再生を行うことができる。
【０１２３】
また、上記ＶＯＢユニットサーチ情報は、動画及び静止画を含む記録情報に対応して記述されているので、再生すべき動画又は静止画を迅速に検索して再生することができる。
【０１２４】
更にまた、第２実施形態のＶＯＢユニットサーチ情報に基づいてビデオデータ４２の検索を行う場合には、存在情報Ａ及びＢとしてビデオデータ４２の有無が記述されているので、ＶＯＢユニット３０中にビデオデータ４２が含まれていないときには、当該ビデオデータ４２が記録されていないＶＯＢユニット３０を検索せずに再生することができ、映像情報の再生を迅速且つ途切れることなく行うことができる。
（III）再生装置の実施形態
次に、上記の記録装置Ｓ1によりＤＶＤ１に記録された情報を再生するための請求項９乃至１２に記載の発明に対応する再生装置の実施形態を、図１２乃至図１７を用いて説明する。
【０１２５】
始めに、図１２を用いて、実施形態の再生装置の構成及び動作について説明する。図１２に示すように、実施形態に係る再生装置Ｓ2は、検出復調手段としてのピックアップ８０と、検出復調手段としての復調訂正部８１と、ストリームスイッチ８２及び８４と、トラックバッファ８３と、抽出手段としてのシステムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、制御手段としてのシステムコントローラ１００と、ドライブコントローラ１０１と、スピンドルモータ１０２と、スライダモータ１０３とにより構成されている。なお、図１２に示す構成は、再生装置Ｓ2の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１２６】
次に、全体動作を説明する。ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓpを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１２７】
ピックアップ８０から出力された検出信号Ｓpは、復調訂正部８１に入力され、復調処理及び誤り訂正処理が行われて復調信号Ｓdmが生成され、ストリームスイッチ８２及びシステムバッファ８５に出力される。
【０１２８】
復調信号Ｓdmが入力されたストリームスイッチ８２は、ドライブコントローラ１０１からのスイッチ信号Ｓsw1によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１２９】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【０１３０】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2により開閉が制御される。
【０１３１】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓcとしてシステムコントローラ１００に出力すると共に、情報再生中に必要に応じて上記ナビパック４１毎のＤＳＩデータ５１を一時的に蓄積し、システムコントローラ１００に制御情報Ｓcとして出力する。
【０１３２】
ストリームスイッチ８４を介して復調信号Ｓdmが連続的に入力されたデマルチプレクサ８６においては、当該復調信号Ｓdmからビデオデータ４２、オーディオデータ４３、サブピクチャデータ４４及びナビパック４１毎のＰＣＩデータ５０を分離し、ビデオ信号Ｓv、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、オーディオデータ４３又はサブピクチャデータ４４として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１３３】
ビデオ信号Ｓvが入力されるＶＢＶバッファ８７は、ＦＩＦＯメモリ等により構成され、ビデオ信号Ｓvを一時的に蓄積し、ビデオデコーダ８８に出力する。ＶＢＶバッファ８７は、ＭＰＥＧ２方式により圧縮されているビデオ信号Ｓvにおける各ピクチャ（図２参照）毎のデータ量のばらつきを補償するためのものである。そして、データ量のばらつきが補償されたビデオ信号Ｓvがビデオデコーダ８８に入力され、ＭＰＥＧ２方式により復調が行われて復調ビデオ信号Ｓvdとして混合器９１に出力される。
【０１３４】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれるサブピクチャデータ４４を、当該サブピクチャデータ４４に対応するビデオデータ４２と同期して出力するためのものである。そして、ビデオデータ４２との同期が取られた副映像信号Ｓspがサブピクチャデコーダ９０に入力され、復調が行われて復調副映像信号Ｓspdとして混合器９１に出力される。
【０１３５】
なお、副映像信号Ｓspが、上記メニュー画面を構成して表示するために必要な、枠、選択ボタン等を構成するための画像情報を含んでいる場合には、システムコントローラ１００からのハイライト制御信号Ｓchに基づき、表示すべき選択ボタン等の表示状態の変更を行って出力する。
【０１３６】
ビデオデコーダ８８から出力された復調ビデオ信号Ｓvd及びサブピクチャデコーダ９０から出力された復調副映像信号Ｓspd（対応する復調ビデオ信号Ｓvdとの同期が取れている。）は、混合器９１により混合され、最終的な表示すべき映像信号Ｓvpとして図示しないＣＲＴ（Cathod Ray Tube）等の表示部に出力される。
【０１３７】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓaddとして図示しないスピーカ等に出力される。なお、アクセス直後の再生等で一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓaddの出力を停止する。
【０１３８】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。そして、ＰＣＩバッファ９４により対応するビデオデータ４２、オーディオデータ４３又はサブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpciとしてシステムコントローラ１００に出力される。
【０１３９】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための映像情報が含まれている副映像信号Ｓspに対応して、ハイライト情報に対応する選択項目の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhidとしてシステムコントローラ１００に出力される。ここで、システムコントローラ１００は、当該復調ハイライト信号Ｓhidに基づき、ハイライト情報の表示を行うべく、上記のハイライト制御信号Ｓchを出力することとなる。
【０１４０】
システムコントローラ１００は、システムバッファ８５から入力される制御情報Ｓc、ＰＣＩデコーダ９５から入力されるＰＣＩ情報信号Ｓpci及びリモコン等の入力部９８から入力される入力信号Ｓinに基づき、それらの信号に対応した正しい再生を行うために上記のスイッチ信号Ｓsw2、ストリーム選択信号Ｓlc、ポーズ信号Ｓca、ハイライト制御信号Ｓchを出力すると共に、再生装置Ｓ2の動作状況等を表示するために表示信号Ｓdpを液晶表示装置等のディスプレイ９９に出力する。
【０１４１】
更に、システムコントローラ１００は、上記制御信号Ｓc等により、シームレス再生のためにサーチ等のトラックジャンプの処理が必要であることを検出したときには、ドライブコントローラ１０１に対して、当該トラックジャンプの処理に対応するシームレス制御信号Ｓcslを出力する。
【０１４２】
そして、シームレス制御信号Ｓcslが入力されたドライブコントローラ１０１は、スピンドルモータ１０２又はスライダモータ１０３に対して駆動信号Ｓdを出力する。この駆動信号Ｓdにより、スピンドルモータ１０２又はスライダモータ１０３は、光ビームＢが再生すべきＤＶＤ１上の記録位置に照射されるようにピックアップ２を移動させる（図１２破線矢印参照）と共に、ＤＶＤ１の回転をＣＬＶ（Constant Linear Velocity:線速度一定）制御する。これと並行して、ドライブコントローラ１０１は、ピックアップ２が移動中であり復調訂正部８１から復調信号Ｓdmが出力されないときには、シームレス制御信号Ｓcslに基づきスイッチ信号Ｓsw1を出力し、ストリームスイッチ８２を開とすると共に、復調信号Ｓdmが出力され始めると、ストリームスイッチ８２を閉成して復調信号Ｓdmをトラックバッファ８３に出力する。
【０１４３】
次に、上記再生装置Ｓ2の内、特に本発明に係るＶＯＢユニットサーチ情報を用いた検索動作について、システムコントローラ１００の動作を中心として以下に説明する。なお、以下の再生動作の実施形態においては、上記２種類のＶＯＢユニットサーチ情報のうち、第２実施形態のＶＯＢユニットサーチ情報（図１０参照）を用いた再生動作の実施形態について説明する。
（Ａ）６０倍速ビジュアルスキャン動作の実施形態
初めに、第２実施形態のＶＯＢユニットサーチ情報（以下、単にＶＯＢユニットサーチ情報という。）のうち、存在情報Ａを用いた６０倍速ビジュアルスキャン動作（映像を出力しつつ６０倍速で再生する動作）について、図１３及び図１４を用いて説明する。
【０１４４】
先ず、図１３を用いて、６０倍速ビジュアルスキャン動作の概要を説明する。図１３に示すように、６０倍速ビジュアルスキャン動作は、現在再生しているデータに対応するナビパック４１の位置から、通常再生における２秒おきのＶＯＢユニット３０に含まれる第１フレーム映像のみを連続的に再生するものであり、本実施の形態におけるＭＰＥＧ２方式では、１秒間に再生されるフレーム映像数が３０フレームと規定されていることから、６０フレームのうちの一つのフレームを再生するため６０倍速となるのである。
【０１４５】
次に、６０倍速ビジュアルスキャン動作を行うための具体的な処理について、図１４に示すフローチャートに基づいて説明する。図１４に示すように、６０倍速ビジュアルスキャン動作においては、初めに、通常再生が行われているときに（ステップＳ１）、６０倍速ビジュアルスキャン動作の指示する入力信号Ｓinが入力部９８から入力されたか否かが判定される（ステップＳ２）。
【０１４６】
ステップＳ２における判定において、６０倍速ビジュアルスキャン動作の指示する入力信号Ｓinが入力されていない場合には（ステップＳ２；ＮＯ）、次に、入力部９８から再生ストップの指示あるか否かが判定される（ステップＳ３）。そして、再生ストップの指示があるときには（ステップＳ３；ＹＥＳ）そのまま処理を終了し、再生ストップの指示がないときには（ステップＳ３；ＮＯ）、次に再生するＶＯＢユニット３０の開始アドレスをＶＯＢユニットサーチ情報のＶＯＢユニットアドレスＡから検出してそのアドレスＡＤXを設定し（ステップＳ４）、当該アドレスＡＤXをサーチするためにピックアップ８０を移動させ（ステップＳ５）、上記次に再生するＶＯＢユニット３０のナビパック４１を取得して（ステップＳ６）通常再生処理に移行する。
【０１４７】
一方、ステップＳ２における判定において、６０倍速ビジュアルスキャン動作の指示する入力信号Ｓinが入力された場合には（ステップＳ２；ＹＥＳ）、次に、２秒後のＶＯＢユニット３０を検索するために、ＶＯＢユニットサーチ情報におけるアドレス番号（図１０参照、夫々の再生すべき時間×２の値を有する。）を示すパラメータｎを「４」と設定する（ステップＳ７）。その後、ＶＯＢユニットサーチ情報のＶＯＢユニットアドレスＡを参照して（０．５×ｎ）秒後に再生するＶＯＢユニット３０の開始アドレスを示す「ＦＷＤＡｎ」を設定する（ステップＳ８）。そして、現在のｎの値に対応する「ＦＷＤＡ４」に対応するアドレス（図１０の場合には、「１３」）を一時的に記憶する（ステップＳ９）。
【０１４８】
次に、ステップＳ８において設定した「ＦＷＤＡｎ」の値に対応する存在情報Ａを検出し、その値が「１」であるか否か、すなわち、当該「ＦＷＤＡｎ」に対応するＶＯＢユニット３０内にビデオデータ４２があるか否かが判定される（ステップＳ１０）。
【０１４９】
次に、ステップＳ１０における判定において、「ＦＷＤＡｎ」に対応するＶＯＢユニット３０内にビデオデータ４２がない場合には（ステップＳ１０；ＮＯ）、「ＦＷＤＡｎ」に対応するＶＯＢユニット３０の前（時間的に手前）のＶＯＢユニット３０を検索してビデオデータ４２が記録されているＶＯＢユニット３０を検索すべくｎの値を一だけデクリメントし（ステップＳ１１）、ｎが「０」でなければ（ステップＳ１２；ＮＯ）デクリメントしたｎの値でステップＳ８以降の動作を行うべくステップＳ８に戻る。
【０１５０】
一方、ステップＳ１２において、ｎが「０」であれば（ステップＳ１２；ＹＥＳ）、記憶されていた（ステップＳ９参照）「ＦＷＤＡ４」に対応するアドレスを読み出して（ステップＳ１７）、そのアドレスをサーチするためピックアップ８０を移動させ（ステップＳ１８）その記録位置のＶＯＢユニット３０のナビパック４１を取得する（ステップＳ１９）。
【０１５１】
ここで、ステップＳ１２における判定においてｎが「０」になる場合とは、具体的には、例えば、２秒後に表示すべきビデオデータ４２が現在既に静止画として表示されている場合に、ｎを「４」として「ＦＷＤＡ４」に対応する存在情報Ａをみるとそこにはビデオデータ４２が存在しないので（図１０参照）、ｎを「１」だけデクリメントして「３」とし、今度は「ＦＷＤＡ３」に対応する存在情報Ａをみるとそこにはビデオデータ４２が存在しないので（図１０参照）、ｎを「１」だけ更にデクリメントする。この処理を繰返し、「ＦＷＤＡ１」に対応する存在情報Ａまで到達したとき、当該「ＦＷＤＡ１」に対応する存在情報Ａがビデオデータ４２が存在しないことを示す場合には、その次にｎは「０」となる。そして、このことを認識したシステムコントローラ１００は、現在表示中のビデオデータ４２をそのまま静止画再生すると判定し、そのまま静止画再生すると共に、「ＦＷＤＡ１」に対応するＶＯＢユニット３０においては、ナビパック４１を取得してそこに記述されている動作に移行するのである。
【０１５２】
一方、ステップＳ１０における判定において、「ＦＷＤＡｎ」に対応するＶＯＢユニット３０内にビデオデータ４２がある場合には（ステップＳ１０；ＹＥＳ）、次にｎの値が初めに設定した（ステップＳ７参照）「４」であるか否かが判定される（ステップＳ１３）。ステップＳ１３における判定は、上述のステップＳ８乃至ステップＳ１２の動作により、ｎが「４」と異なる値となっている場合があるからである。
【０１５３】
ステップＳ１３における判定でｎが「４」でないときには（ステップＳ１３；ＮＯ）、ステップＳ１１においてデクリメントしたｎに対応する「ＦＷＤＡｎ」で示されるＶＯＢユニット３０の位置にビデオデータ４２が記録されているとして「ＦＷＤＡｎ」に対応するアドレスをサーチするためにピックアップ８０を移動させ（ステップＳ１４）、その記録位置のＶＯＢユニット３０のナビパック４１を取得し（ステップＳ１５）、当該取得したナビパック４１に対応するＶＯＢユニット３０内の０．５×ｎ秒に対応する一フレーム画像のみを再生する（ステップＳ１６）。その後は、上述のステップＳ１７乃至Ｓ１９の動作を実行して６０倍速ビジュアルスキャン動作が終了か否かを入力部９８からの入力信号Ｓinにより判定し（ステップＳ２０）、終了であるならば（ステップＳ２０；ＹＥＳ）通常再生を行うためにステップＳ１に戻り、終了でないときには（ステップＳ２０；ＮＯ）、再びステップＳ７に戻ってそれ以降の動作を繰返す。
【０１５４】
一方、ステップＳ１３における判定で、ｎが「４」であるときには、当該「４」が示す「ＦＷＤＡ４」に対応するＶＯＢユニット３０にビデオデータ４２が含まれているとして「ＦＷＤＡ４」に対応するアドレスをサーチするためにピックアップ８０を移動させ（ステップＳ２１）、その記録位置のＶＯＢユニット３０のナビパック４１を取得し（ステップＳ２２）、当該取得したナビパック４１に対応するＶＯＢユニット３０内の２秒に対応する一フレーム画像のみを再生する（ステップＳ２３）。その後はステップＳ２０の処理を行い６０倍速ビジュアルスキャン動作の継続の有無を判定する。
【０１５５】
以上説明した処理により、ＶＯＢユニットサーチ情報野中の存在情報Ａを活用し、２秒毎に一フレーム映像だけ再生する６０倍速ビジュアルスキャン動作が実行できる。
（Ｂ）タイムサーチ動作の実施形態
次に、ＶＯＢユニットサーチ情報のうち、存在情報Ａ及びＢを用いたタイムサーチ動作（指定された時刻の映像を出力する動作）について、図１５乃至図１７を用いて説明する。
【０１５６】
先ず、図１５を用いて、タイムサーチ動作の概要を説明する。図１５に示すように、存在情報Ｂを用いたタイムサーチ動作は、ＤＶＤ１上にビデオデータ４２のないＶＯＢユニット３０が連続しているときに、現在再生しているナビパック４１ＡからＴ秒後（当該Ｔ秒後に対応するＤＶＤ１上にビデオデータ４２のないＶＯＢユニット３０が連続している部分が含まれているとする。）に再生すべきビデオデータ４２を含むＶＯＢユニット３０を検索し、その後、ビデオデータ４２のないＶＯＢユニット３０を飛ばして、今度はビデオデータ４２以外のＴ秒後に再生すべきオーディオデータ４３等を検索し、双方を再生する動作である。
【０１５７】
次に、存在情報Ｂを用いてタイムサーチ動作を行うための具体的な処理について、図１６及び図１７R>７に示すフローチャートに基づいて説明する。図１６及び図１７に示すように、タイムサーチ動作においては、初めに、通常再生が行われているときに（ステップＳ３０）、Ｔ秒後の映像及び音声を再生すべくタイムサーチ動作を指示する入力信号Ｓinが入力部９８から入力されたか否かが判定される（ステップＳ３１）。
【０１５８】
ステップＳ３１における判定において、タイムサーチ動作の指示する入力信号Ｓinが入力されていない場合には（ステップＳ３１；ＮＯ）、次に、入力部９８から再生ストップの指示あるか否かが判定される（ステップＳ３２）。そして、再生ストップの指示があるときには（ステップＳ３２；ＹＥＳ）そのまま処理を終了し、再生ストップの指示がないときには（ステップＳ３２；ＮＯ）、次に再生するＶＯＢユニット３０の開始アドレスをＶＯＢユニットサーチ情報のＶＯＢユニットアドレスＡから検出してそのアドレスＡＤXを設定し（ステップＳ３３）、当該アドレスＡＤXをサーチするためにピックアップ８０を移動させ（ステップＳ３４）、上記次に再生するＶＯＢユニット３０のナビパック４１を取得して（ステップＳ３５）通常再生処理に移行する。
【０１５９】
一方、ステップＳ３１における判定において、タイムサーチ動作の指示する入力信号Ｓinが入力された場合には（ステップＳ３１；ＹＥＳ）、次に、Ｔ秒後に対応するＶＯＢユニット３０の開始アドレス「ＦＷＤＡｙ」を取得して記憶しておく（ステップＳ３６）。そして、「Ｔ×２」の値（アドレス番号（図１０参照）に相当する。）が１５以下であるか否かが判定される（ステップＳ３７）。
【０１６０】
ステップＳ３７における判定において、「Ｔ×２」の値が１５以下であった場合には（ステップＳ３７；ＹＥＳ）、アドレス番号を示すパラメータｎを「Ｔ×２」と設定する（ステップＳ３８）。その後、ＶＯＢユニットサーチ情報のＶＯＢユニットアドレスＡを参照して（０．５×ｎ）秒後に再生するＶＯＢユニット３０の開始アドレスを示す「ＦＷＤＡｎ」を設定する（ステップＳ３９）。そして、ステップＳ３９において設定した「ＦＷＤＡｎ」の値に対応する存在情報Ａを検出し、その値が「１」であるか否か、すなわち、当該「ＦＷＤＡｎ」に対応するＶＯＢユニット３０内にビデオデータ４２があるか否かが判定される（ステップＳ４０）。
【０１６１】
次に、ステップＳ４０における判定において、「ＦＷＤＡｎ」に対応するＶＯＢユニット３０内にビデオデータ４２がない場合には（ステップＳ４０；ＮＯ）、「ＦＷＤＡｎ」に対応するＶＯＢユニット３０の前（時間的に先）のＶＯＢユニット３０を検索してビデオデータ４２が記録されているＶＯＢユニット３０を検索すべくｎの値を一だけデクリメントし（ステップＳ４１）、ｎが「０」でなければ（ステップＳ４２；ＮＯ）デクリメントしたｎの値でステップＳ３９以降の動作を行うべくステップＳ３９に戻る。
【０１６２】
一方、ステップＳ４２において、ｎが「０」であれば（ステップＳ４２；ＹＥＳ）、図１４のステップＳ１２においてｎが「０」である場合と同様の意味（既述）を有し、タイムサーチ動作を指示する入力信号Ｓinが入力されたときからＴ秒後までの間に対応するＤＶＤ１上にビデオデータ４２を含むＶＯＢユニット３０が存在しないこととなるので、タイムサーチ動作を指示する入力信号Ｓinが入力されていたタイミングで再生していたＶＯＢユニット３０に含まれる最後の１フレームがＴ秒後の再生すべき映像であることとなる。よって、タイムサーチ動作を指示する入力信号Ｓinが入力されていたタイミングで再生していたＶＯＢユニット３０に対応するフレーム映像を再生し（ステップＳ４３）、次にステップＳ３５において記憶しておいたＴ秒後に対応するＶＯＢユニット３０（ビデオデータ４２以外のＴ秒後に再生すべきオーディオデータ４３等が含まれている。）の開始アドレス「ＦＷＤＡｙ」に対応するアドレスを読み出してそのアドレスをサーチするためピックアップ８０を移動させ（ステップＳ４４）その記録位置のＶＯＢユニット３０のナビパック４１を取得し（ステップＳ４５）、通常再生を行う（ステップＳ３０）。
【０１６３】
一方、ステップＳ４０における判定において、「ＦＷＤＡｎ」に対応するＶＯＢユニット３０内にビデオデータ４２が存在する場合には（ステップＳ４０；ＹＥＳ）、「ＦＷＤＡｎ」に対応するＶＯＢユニット３０の開始アドレスを「ＦＷＤＡｘ」に相当する開始アドレスとして設定し直す（ステップＳ４６）。
【０１６４】
そして、「ＦＷＤＡｘ」に対応するＶＯＢユニット３０の開始アドレスと、ステップＳ３５で設定した「ＦＷＤＡｙ」に対応するＶＯＢユニット３０の開始アドレスとが等しいか否かを判定し（ステップＳ４７）、等しい場合には（ステップＳ４７；ＹＥＳ）当該「ＦＷＤＡｘ」に対応するＶＯＢユニット３０が入力されたＴ秒後に再生すべきＶＯＢユニット３０であって、且つビデオデータ４２を含むＶＯＢユニット３０であるので、上記ステップＳ４４及びＳ４５を実行して通常再生処理に戻る（ステップＳ３０）。
【０１６５】
一方、「ＦＷＤＡｘ」に対応するＶＯＢユニット３０の開始アドレスと、「ＦＷＤＡｙ」に対応するＶＯＢユニット３０の開始アドレスとが等しくない場合には（ステップＳ４７；ＮＯ）、「ＦＷＤＡｙ」に対応するＶＯＢユニット３０よりＤＶＤ１上で手前（時間的に前）に記録されていることとなる「ＦＷＤＡｘ」に対応するＶＯＢユニット３０にＴ秒後に再生すべきビデオデータ４２が含まれていることとなるので、その開始アドレス「ＦＷＤＡｘ」に対応するアドレスを読み出してそのアドレスをサーチするためピックアップ８０を移動させ（ステップＳ４８）その記録位置のＶＯＢユニット３０のナビパック４１を取得し（ステップＳ４９）、当該ＶＯＢユニット３０に含まれるビデオデータ４２（すなわち、Ｔ秒後に再生すべきビデオデータ４２）を再生し（ステップＳ５０）、その後ステップＳ４４及びＳ４５を実行して通常再生処理に戻る（ステップＳ３０）。
【０１６６】
次に、ステップＳ３７における判定において、「Ｔ×２」の値が１５以下でない場合には（ステップＳ３７；ＮＯ）、次に、「Ｔ×２」の値が１５より大きく２０以下であるか否かが判定される（ステップＳ５１）。
【０１６７】
そして、「Ｔ×２」の値が１５より大きく２０以下である場合には（ステップＳ５１；ＹＥＳ）、「ＦＷＤＡ２０」に対応するＶＯＢユニット３０の開始アドレスを取得して記憶しておく（ステップＳ５２）。そして、「Ｔ×２」の値が「２０」であり、且つ、「ＦＷＤＡ２０」に対応する存在情報Ａが「１」であるか否かが判定される（ステップＳ５３）。
【０１６８】
ステップＳ５３における判定において、「Ｔ×２」の値が「２０」であり、且つ、「ＦＷＤＡ２０」に対応する存在情報Ａが「１」である場合には（ステップＳ５３；ＹＥＳ）、タイムサーチすべき映像及び音声が１０秒後の映像及び音声であり、かつ１０秒後に再生すべきＶＯＢユニット３０にビデオデータ４２が記録されていることとなるので、当該ＶＯＢユニット３０（「ＦＷＤＡ２０」に対応する。）から再生を開始すべくステップＳ４４に移行する。
【０１６９】
一方、ステップＳ５３における判定において、「Ｔ×２」の値が「２０」であり、且つ、「ＦＷＤＡ２０」に対応する存在情報Ａが「１」でない場合には（ステップＳ５３；ＮＯ）、「ＦＷＤＡ２０」に対応するＶＯＢユニット３０にはビデオデータ４２が記録されていないので、当該「ＦＷＤＡ２０」に対応するＶＯＢユニット３０と「ＦＷＤＡ１５」に対応するＶＯＢユニット３０の間にあり、且つビデオデータ４２が記録されているＶＯＢユニット３０を存在の有無を判断すべく「ＦＷＤＡ２０」に対応する存在情報Ｂを確認し、それが「１」であるか否かを判定する（ステップＳ５４）。そして、「ＦＷＤＡ２０」に対応する存在情報Ｂが「１」でない場合には（ステップＳ５４；ＮＯ）、「ＦＷＤＡ１５」に対応するＶＯＢユニット３０の次のＶＯＢユニット３０から「ＦＷＤＡ２０」に対応するＶＯＢユニット３０の一つ手前のＶＯＢユニット３０までにビデオデータ４２を記録したＶＯＢユニット３０が存在しないこととなるので、アドレス番号が１５以下の範囲でビデオデータ４２を記録したＶＯＢユニット３０を検索すべく、パラメータｎ（アドレス番号を示す。）を「１５」に設定し（ステップＳ５５）、ステップＳ３９に移行して、以降、存在情報Ａに基づいてビデオデータ４２を有するＶＯＢユニット３０を検索し、当該ＶＯＢユニット３０から映像を再生する（ステップＳ３９乃至Ｓ５０）。
【０１７０】
一方、ステップＳ５４における判定において、「ＦＷＤＡ２０」に対応する存在情報Ｂが「１」である場合には（ステップＳ５４；ＹＥＳ）、「ＦＷＤＡ１５」に対応するＶＯＢユニット３０の次のＶＯＢユニット３０から「ＦＷＤＡ２０」に対応するＶＯＢユニット３０の一つ手前のＶＯＢユニット３０までの間にビデオデータ４２を記録したＶＯＢユニット３０が存在することとなるので、当該ビデオデータ４２を記録したＶＯＢユニット３０を検索するため、「ＦＷＤＡ１５」に対応するＶＯＢユニット３０を検索する（ステップＳ５６）。そして、当該「ＦＷＤＡ１５」に対応するＶＯＢユニット３０のナビパック４１を取得し（ステップＳ５７）、当該ナビパック４１に記録されているＶＯＢユニットサーチ情報（図１０参照）の中の存在情報Ａ及びＶＯＢユニットアドレスＡに基づいて、「ＦＷＤＡ１５」に対応するＶＯＢユニット３０と「ＦＷＤＡ２０」に対応するＶＯＢユニット３０との間で、Ｔ秒後に再生すべきビデオデータ４２を含むＶＯＢユニット３０の開始アドレスを検索し、それを「ＦＷＤＡｘ」とする（ステップＳ５８）。その後は、上記ステップＳ４７乃至Ｓ５０及びステップＳ４４及びＳ４５の動作を行って、Ｔ秒後に再生すべきビデオデータ４２を再生すると共に（ステップＳ５０）、Ｔ秒後に再生すべきＶＯＢユニット３０内に記録されているデータを読み出して（ステップＳ４４及びＳ４５）、そこから通常再生を行う（ステップＳ３０）。
【０１７１】
一方、ステップＳ５１における判定において、「Ｔ×２」の値が１５より大きく２０以下でないときには（ステップＳ５１；ＮＯ）、次に、「Ｔ×２」の値が２０より大きく６０以下であるか否かが判定される（ステップＳ５９）。
【０１７２】
そして、「Ｔ×２」の値が２０より大きく６０以下である場合には（ステップＳ５９；ＹＥＳ）、「ＦＷＤＡ６０」に対応するＶＯＢユニット３０の開始アドレスを取得して記憶しておく（ステップＳ６０）。そして、「Ｔ×２」の値が「６０」であり、且つ、「ＦＷＤＡ６０」に対応する存在情報Ａが「１」であるか否かが判定される（ステップＳ６１）。
【０１７３】
ステップＳ６１における判定において、「Ｔ×２」の値が「６０」であり、且つ、「ＦＷＤＡ６０」に対応する存在情報Ａが「１」である場合には（ステップＳ６１；ＹＥＳ）、タイムサーチすべき映像及び音声が３０秒後の映像及び音声であり、かつ３０秒後に再生すべきＶＯＢユニット３０にビデオデータ４２が記録されていることとなるので、当該ＶＯＢユニット３０（「ＦＷＤＡ６０」に対応する。）から再生を開始すべくステップＳ４４に移行する。
【０１７４】
一方、ステップＳ６１における判定において、「Ｔ×２」の値が「６０」であり、且つ、「ＦＷＤＡ６０」に対応する存在情報Ａが「１」でない場合には（ステップＳ６１；ＮＯ）、「ＦＷＤＡ６０」に対応するＶＯＢユニット３０にはビデオデータ４２が記録されていないので、当該「ＦＷＤＡ６０」に対応するＶＯＢユニット３０と「ＦＷＤＡ２０」に対応するＶＯＢユニット３０の間にあり、且つビデオデータ４２が記録されているＶＯＢユニット３０を存在の有無を判断すべく「ＦＷＤＡ６０」に対応する存在情報Ｂを確認し、それが「１」であるか否かを判定する（ステップＳ６２）。そして、「ＦＷＤＡ６０」に対応する存在情報Ｂが「１」でない場合には（ステップＳ６２；ＮＯ）、「ＦＷＤＡ２０」に対応するＶＯＢユニット３０の次のＶＯＢユニット３０から「ＦＷＤＡ６０」に対応するＶＯＢユニット３０の一つ手前のＶＯＢユニット３０までにビデオデータ４２を記録したＶＯＢユニット３０が存在しないこととなるので、アドレス番号が２０以下の範囲でビデオデータ４２を記録したＶＯＢユニット３０を検索すべく、ステップＳ５２へ移行する。
【０１７５】
一方、ステップＳ６２における判定において、「ＦＷＤＡ６０」に対応する存在情報Ｂが「１」である場合には（ステップＳ６２；ＹＥＳ）、「ＦＷＤＡ２０」に対応するＶＯＢユニット３０の次のＶＯＢユニット３０から「ＦＷＤＡ６０」に対応するＶＯＢユニット３０の一つ手前のＶＯＢユニット３０までの間にビデオデータ４２を記録したＶＯＢユニット３０が存在することとなるので、当該ビデオデータ４２を記録したＶＯＢユニット３０を検索するため、「ＦＷＤＡ２０」に対応するＶＯＢユニット３０を検索する（ステップＳ６３）。そして、当該「ＦＷＤＡ２０」に対応するＶＯＢユニット３０のナビパック４１を取得し（ステップＳ６４）、当該ナビパック４１に記録されているＶＯＢユニットサーチ情報（図１０参照）の中のＶＯＢユニットアドレスＡ並びに存在情報Ａ及び存在情報Ｂに基づいて、「ＦＷＤＡ２０」に対応するＶＯＢユニット３０と「ＦＷＤＡ６０」に対応するＶＯＢユニット３０との間で、Ｔ秒後に再生すべきビデオデータ４２を含むＶＯＢユニット３０の開始アドレスを検索し、それを「ＦＷＤＡｘ」とする（ステップＳ６５）。その後は、上記ステップＳ４７乃至Ｓ５０及びステップＳ４４及びＳ４５の動作を行って、Ｔ秒後に再生すべきビデオデータ４２を再生すると共に（ステップＳ５０）、Ｔ秒後に再生すべきＶＯＢユニット３０内に記録されているデータを読み出して（ステップＳ４４及びＳ４５）、そこから通常再生を行う（ステップＳ３０）。
【０１７６】
また、ステップＳ５９における判定において、「Ｔ×２」の値が２０より大きく６０以下でないときには（ステップＳ５９；ＮＯ）、「Ｔ×２」の値が６０より大きく１２０以下であるか否かが判定される（ステップＳ６６）。
【０１７７】
そして、「Ｔ×２」の値が６０より大きく１２０以下である場合には（ステップＳ６６；ＹＥＳ）、「ＦＷＤＡ１２０」に対応するＶＯＢユニット３０の開始アドレスを取得して記憶しておく（ステップＳ６７）。そして、「Ｔ×２」の値が「１２０」であり、且つ、「ＦＷＤＡ１２０」に対応する存在情報Ａが「１」であるか否かが判定される（ステップＳ６８）。
【０１７８】
ステップＳ６８における判定において、「Ｔ×２」の値が「１２０」であり、且つ、「ＦＷＤＡ１２０」に対応する存在情報Ａが「１」である場合には（ステップＳ６８；ＹＥＳ）、タイムサーチすべき映像及び音声が６０秒後の映像及び音声であり、かつ６０秒後に再生すべきＶＯＢユニット３０にビデオデータ４２が記録されていることとなるので、当該ＶＯＢユニット３０（「ＦＷＤＡ１２０」に対応する。）から再生を開始すべくステップＳ４４に移行する。
【０１７９】
一方、ステップＳ６８における判定において、「Ｔ×２」の値が「１２０」であり、且つ、「ＦＷＤＡ１２０」に対応する存在情報Ａが「１」でない場合には（ステップＳ６８；ＮＯ）、「ＦＷＤＡ１２０」に対応するＶＯＢユニット３０にはビデオデータ４２が記録されていないので、当該「ＦＷＤＡ１２０」に対応するＶＯＢユニット３０と「ＦＷＤＡ６０」に対応するＶＯＢユニット３０の間にあり、且つビデオデータ４２が記録されているＶＯＢユニット３０の存在の有無を判断すべく「ＦＷＤＡ１２０」に対応する存在情報Ｂを確認し、それが「１」であるか否かを判定する（ステップＳ６９）。そして、「ＦＷＤＡ１２０」に対応する存在情報Ｂが「１」でない場合には（ステップＳ６９；ＮＯ）、「ＦＷＤＡ６０」に対応するＶＯＢユニット３０の次のＶＯＢユニット３０から「ＦＷＤＡ１２０」に対応するＶＯＢユニット３０の一つ手前のＶＯＢユニット３０までにビデオデータ４２を記録したＶＯＢユニット３０が存在しないこととなるので、アドレス番号が６０以下の範囲でビデオデータ４２を記録したＶＯＢユニット３０を検索すべく、ステップＳ６０へ移行する。
【０１８０】
一方、ステップＳ６９における判定において、「ＦＷＤＡ１２０」に対応する存在情報Ｂが「１」である場合には（ステップＳ６９；ＹＥＳ）、「ＦＷＤＡ６０」に対応するＶＯＢユニット３０の次のＶＯＢユニット３０から「ＦＷＤＡ１２０」に対応するＶＯＢユニット３０の一つ手前のＶＯＢユニット３０までの間にビデオデータ４２を記録したＶＯＢユニット３０が存在することとなるので、当該ビデオデータ４２を記録したＶＯＢユニット３０を検索するため、「ＦＷＤＡ６０」に対応するＶＯＢユニット３０を検索する（ステップＳ７０）。そして、当該「ＦＷＤＡ６０」に対応するＶＯＢユニット３０のナビパック４１を取得し（ステップＳ７１）、当該ナビパック４１に記録されているＶＯＢユニットサーチ情報（図１０参照）の中のＶＯＢユニットアドレスＡ並びに存在情報Ａ及び存在情報Ｂに基づいて、「ＦＷＤＡ６０」に対応するＶＯＢユニット３０と「ＦＷＤＡ１２０」に対応するＶＯＢユニット３０との間で、Ｔ秒後に再生すべきビデオデータ４２を含むＶＯＢユニット３０の開始アドレスを検索し、それを「ＦＷＤＡｘ」とする（ステップＳ７２）。その後は、上記ステップＳ４７乃至Ｓ５０及びステップＳ４４及びＳ４５の動作を行って、Ｔ秒後に再生すべきビデオデータ４２を再生すると共に（ステップＳ５０）、Ｔ秒後に再生すべきＶＯＢユニット３０内に記録されているデータを読み出して（ステップＳ４４及びＳ４５）、そこから通常再生を行う（ステップＳ３０）。
【０１８１】
一方、ステップＳ６６における判定において、「Ｔ×２」の値が６０より大きく１２０以下でないときには（ステップＳ６６；ＮＯ）、次に、「Ｔ×２」の値が１２０より大きく２４０以下であるか否かが判定される（ステップＳ７３）。
【０１８２】
そして、「Ｔ×２」の値が１２０より大きく２４０以下である場合には（ステップＳ７３；ＹＥＳ）、「ＦＷＤＡ２４０」に対応するＶＯＢユニット３０の開始アドレスを取得して記憶しておく（ステップＳ７４）。そして、「Ｔ×２」の値が「２４０」であり、且つ、「ＦＷＤＡ２４０」に対応する存在情報Ａが「１」であるか否かが判定される（ステップＳ７５）。
【０１８３】
ステップＳ７５における判定において、「Ｔ×２」の値が「２４０」であり、且つ、「ＦＷＤＡ２４０」に対応する存在情報Ａが「１」である場合には（ステップＳ７５；ＹＥＳ）、タイムサーチすべき映像及び音声が１２０秒後の映像及び音声であり、かつ１２０秒後に再生すべきＶＯＢユニット３０にビデオデータ４２が記録されていることとなるので、当該ＶＯＢユニット３０（「ＦＷＤＡ２４０」に対応する。）から再生を開始すべくステップＳ４４に移行する。
【０１８４】
一方、ステップＳ７５における判定において、「Ｔ×２」の値が「２４０」であり、且つ、「ＦＷＤＡ２４０」に対応する存在情報Ａが「１」でない場合には（ステップＳ７５；ＮＯ）、「ＦＷＤＡ２４０」に対応するＶＯＢユニット３０にはビデオデータ４２が記録されていないので、当該「ＦＷＤＡ２４０」に対応するＶＯＢユニット３０と「ＦＷＤＡ１２０」に対応するＶＯＢユニット３０の間にあり、且つビデオデータ４２が記録されているＶＯＢユニット３０の存在の有無を判断すべく「ＦＷＤＡ２４０」に対応する存在情報Ｂを確認し、それが「１」であるか否かを判定する（ステップＳ７６）。そして、「ＦＷＤＡ２４０」に対応する存在情報Ｂが「１」でない場合には（ステップＳ７６；ＮＯ）、「ＦＷＤＡ１２０」に対応するＶＯＢユニット３０の次のＶＯＢユニット３０から「ＦＷＤＡ２４０」に対応するＶＯＢユニット３０の一つ手前のＶＯＢユニット３０までにビデオデータ４２を記録したＶＯＢユニット３０が存在しないこととなるので、アドレス番号が１２０以下の範囲でビデオデータ４２を記録したＶＯＢユニット３０を検索すべく、ステップＳ６７へ移行する。
【０１８５】
一方、ステップＳ７６における判定において、「ＦＷＤＡ２４０」に対応する存在情報Ｂが「１」である場合には（ステップＳ７６；ＹＥＳ）、「ＦＷＤＡ１２０」に対応するＶＯＢユニット３０の次のＶＯＢユニット３０から「ＦＷＤＡ２４０」に対応するＶＯＢユニット３０の一つ手前のＶＯＢユニット３０までの間にビデオデータ４２を記録したＶＯＢユニット３０が存在することとなるので、当該ビデオデータ４２を記録したＶＯＢユニット３０を検索するため、「ＦＷＤＡ１２０」に対応するＶＯＢユニット３０を検索する（ステップＳ７７）。そして、当該「ＦＷＤＡ１２０」に対応するＶＯＢユニット３０のナビパック４１を取得し（ステップＳ７８）、当該ナビパック４１に記録されているＶＯＢユニットサーチ情報（図１０参照）の中のＶＯＢユニットアドレスＡ並びに存在情報Ａ及び存在情報Ｂに基づいて、「ＦＷＤＡ１２０」に対応するＶＯＢユニット３０と「ＦＷＤＡ２４０」に対応するＶＯＢユニット３０との間で、Ｔ秒後に再生すべきビデオデータ４２を含むＶＯＢユニット３０の開始アドレスを検索し、それを「ＦＷＤＡｘ」とする（ステップＳ７９）。その後は、上記ステップＳ４７乃至Ｓ５０及びステップＳ４４及びＳ４５の動作を行って、Ｔ秒後に再生すべきビデオデータ４２を再生すると共に（ステップＳ５０）、Ｔ秒後に再生すべきＶＯＢユニット３０内に記録されているデータを読み出して（ステップＳ４４及びＳ４５）、そこから通常再生を行う（ステップＳ３０）。
【０１８６】
一方、ステップＳ７３における判定において、「Ｔ×２」の値が１２０より大きく２４０以下でない場合には（ステップＳ７３；ＮＯ）、「Ｔ×２」の値が２４０より大きいこととなり、図１０に示すＶＯＢユニットサーチ情報では、タイムサーチ情報が行えないので、更に広範囲の再生時間について夫々の再生時間における再生すべきビデオデータ４２を含むＶＯＢユニット３０の開始アドレスを記述したタイムサーチマップを用いたタイムサーチ処理を行う（ステップＳ８０）。
【０１８７】
以上説明した図１６及び図１７に示す動作により、ＶＯＢユニットサーチ情報の中の存在情報Ａ及びＢを用いたタイムサーチ動作が実行される。以上説明したように、再生装置Ｓ2によれば、ＶＯＢユニットサーチ情報内に存在情報Ａ及びＢが記録されているので、再生すべきビデオデータ４２を迅速に検索して再生することができる。
【０１８８】
更に、ＤＶＤ１上に動画及び静止画に対応するビデオデータ４２が記録されており、映像データのないＶＯＢユニット３０が複数存在するときでも、次に再生すべき動画又は静止画を迅速に検索して再生することができると共に、ビデオデータ４２の再生を途切れることなく行うことができる。
【０１８９】
以上説明したように、請求項１に記載の発明によれば、一の情報単位毎に処理記録情報と第１記録位置情報と第２記録位置情報とが多重されて記録されるので、記録情報の再生時において、上記第１記録位置情報及び第２記録位置情報に基づいて再生することにより、再生すべき映像情報を迅速に検索して再生することができる。
【０１９０】
従って、変化に富んだ記録情報の再生時において、正確且つスムーズに映像情報を再生しつつ記録情報の再生を行うことができる。請求項２に記載の発明によれば、請求項１に記載の発明の効果に加えて、映像情報は、動画に対応する映像情報と静止画に対応する映像情報とを含み、第２記録位置情報は、動画に対応する映像情報の記録位置又は静止画に対応する映像情報の記録位置を示す情報であるので、記録情報の再生時において、静止画が連続するときでも、次に再生すべき動画又は静止画を迅速に検索して再生することができる。
【０１９１】
従って、変化に富んだ記録情報の再生時において、正確且つスムーズに静止画又は動画を再生しつつ記録情報の再生を行うことができる。請求項３に記載の発明によれば、一の情報単位毎に処理記録情報と記録位置情報と映像有無情報とが多重されて記録されるので、記録情報の再生時において、上記記録位置情報及び映像有無情報に基づいて再生することにより、再生すべき記録情報を迅速に検索して再生することができると共に、情報単位中に映像情報が含まれていないときには、当該映像情報が記録されていない情報単位を検索せずに再生することができ、映像情報の再生を途切れることなく行うことができる。
【０１９２】
従って、変化に富んだ記録情報の再生時において、正確且つスムーズに映像情報を再生しつつ記録情報の再生を行うことができる。請求項４に記載の発明によれば、請求項３に記載の発明の効果に加えて、映像情報が動画に対応する映像情報と静止画に対応する映像情報とを含み、映像有無情報が動画に対応する映像情報の有無又は静止画に対応する映像情報の有無を示す情報であるので、記録情報の再生時において、静止画が連続するときでも、次に再生すべき動画又は静止画を迅速に検索して再生することができると共に、情報単位中に動画又は静止画が含まれていないときには、当該動画又は静止画が記録されていない情報単位を検索せずに再生することができ、映像情報の再生を途切れることなく行うことができる。
【０１９３】
従って、変化に富んだ記録情報の再生時において、正確且つスムーズに静止画又は動画を再生しつつ記録情報の再生を行うことができる。請求項５に記載の発明によれば、処理記録情報と第１記録位置情報と第２記録位置情報とが、一の情報単位毎に多重されて記録されているので、記録情報の再生時において、上記記録位置情報に基づいて再生することにより、再生すべき映像情報を迅速に検索して再生することができる。
【０１９４】
従って、変化に富んだ記録情報の再生時において、正確且つスムーズに映像情報を再生しつつ記録情報の再生を行うことができる。請求項６に記載の発明によれば、請求項５に記載の発明の効果に加えて、映像情報は動画に対応する映像情報と静止画に対応する映像情報とを含み、第２記録位置情報は、動画に対応する映像情報の記録位置又は静止画に対応する映像情報の記録位置を示す情報であるので、記録情報の再生時において、静止画が連続するときでも、次に再生すべき動画又は静止画を迅速に検索して再生することができる。
【０１９５】
従って、変化に富んだ記録情報の再生時において、正確且つスムーズに静止画又は動画を再生しつつ記録情報の再生を行うことができる。請求項７に記載の発明によれば、一の情報単位毎に処理記録情報と記録位置情報と映像有無情報とが多重されて記録されているので、記録情報の再生時において、上記記録位置情報及び映像有無情報に基づいて再生することにより、再生すべき記録情報を迅速に検索して再生することができると共に、情報単位中に映像情報が含まれていないときには、当該映像情報が記録されていない情報単位を検索せずに再生することができ、映像情報の再生を途切れることなく行うことができる。
【０１９６】
従って、変化に富んだ記録情報の再生時において、正確且つスムーズに映像情報を再生しつつ記録情報の再生を行うことができる。請求項８に記載の発明によれば、請求項７に記載の発明の効果に加えて、映像情報が動画に対応する映像情報と静止画に対応する映像情報とを含み、映像有無情報が動画に対応する映像情報の有無又は静止画に対応する映像情報の有無を示す情報であるので、記録情報の再生時において、静止画が連続するときでも、次に再生すべき動画又は静止画を迅速に検索して再生することができると共に、情報単位中に動画又は静止画が含まれていないときには、当該動画又は静止画が記録されていない情報単位を検索せずに再生することができ、映像情報の再生を途切れることなく行うことができる。
【０１９７】
従って、変化に富んだ記録情報の再生時において、正確且つスムーズに静止画又は動画を再生しつつ記録情報の再生を行うことができる。請求項９に記載の発明によれば、記録情報の検出復調に伴って再生すべき記録情報の記録位置が記録された第１記録位置情報と再生すべき映像情報の記録位置が記録された第２記録位置情報とが、一の情報単位毎に抽出されるので、当該第１記録位置情報と第２記録位置情報に基づいて記録情報を再生することにより、再生すべき映像情報を迅速に検索して再生することができる。
【０１９８】
従って、変化に富んだ記録情報の再生時において、正確且つスムーズに映像情報を再生しつつ記録情報の再生を行うことができる。請求項１０に記載の発明によれば、請求項９に記載の発明の効果に加えて、映像情報は、動画に対応する映像情報と静止画に対応する映像情報とを含み、第２記録位置情報は、動画に対応する映像情報の記録位置又は静止画に対応する映像情報の記録位置を示す情報であるので、再生時において静止画が連続するときでも、次に再生すべき動画又は静止画を迅速に検索して再生することができる。
【０１９９】
従って、変化に富んだ記録情報の再生において、正確且つスムーズに静止画又は動画を再生しつつ記録情報の再生を行うことができる。請求項１１に記載の発明によれば、一の情報単位毎に記録位置情報と映像有無情報とが検出されるので、当該記録位置情報及び映像有無情報に基づいて再生することにより、再生すべき記録情報を迅速に検索して再生することができると共に、情報単位中に映像情報が含まれていないときには、当該映像情報が記録されていない情報単位を検索せずに再生することができ、映像情報の再生を途切れることなく行うことができる。
【０２００】
従って、変化に富んだ記録情報の再生時において、正確且つスムーズに映像情報を再生しつつ記録情報の再生を行うことができる。請求項１２に記載の発明によれば、請求項１１に記載の発明の効果に加えて、映像情報が動画に対応する映像情報と静止画に対応する映像情報とを含み、映像有無情報が動画に対応する映像情報の有無又は静止画に対応する映像情報の有無を示す情報であるので、記録情報の再生時において、静止画が連続するときでも、次に再生すべき動画又は静止画を迅速に検索して再生することができると共に、情報単位中に動画又は静止画が含まれていないときには、当該動画又は静止画が記録されていない情報単位を検索せずに再生することができ、映像情報の再生を途切れることなく行うことができる。
【０２０１】
従って、変化に富んだ記録情報の再生時において、正確且つスムーズに静止画又は動画を再生しつつ記録情報の再生を行うことができる。
【図面の簡単な説明】
【０２０２】
【図１】記録情報の物理的構造（物理フォーマット）を示す図である。
【図２】ＧＯＰを構成するフレーム画像を示す図である。
【図３】記録情報の論理的構造（論理フォーマット）を示す図である。
【図４】インターリーブドユニットの構造を示す図である。
【図５】ＤＳＩデータに含まれる情報を説明する図である。
【図６】ＶＯＢユニットサーチ情報を説明する図である。
【図７】ＶＯＢユニットサーチ情報の構成を示す図である。
【図８】動画と静止画が混在する場合の再生時間とＶＯＢユニットの関係を示す図である。
【図９】ＶＯＢユニットサーチ情報の第１実施形態を示す図である。
【図１０】ＶＯＢユニットサーチ情報の第２実施形態を示す図である。
【図１１】記録装置の概要構成を示すブロック図である。
【図１２】再生装置の概要構成を示すブロック図である。
【図１３】６０倍速ビジュアルスキャン動作を説明する図である。
【図１４】６０倍速ビジュアルスキャン動作の具体的動作を示すフローチャートである。
【図１５】タイムサーチ動作を説明する図である。
【図１６】タイムサーチ動作の具体的動作を示すフローチャート（１）である。
【図１７】タイムサーチ動作の具体的動作を示すフローチャート（２）である。
【符号の説明】
【０２０３】
１…ＤＶＤ
２…ビデオマネージャ
３、６３…ＶＴＳ
１０…ＶＯＢ
１１…コントロールデータ
２０…セル
３０…ＶＯＢユニット
４１…ナビパック
４２…ビデオデータ
４３…オーディオデータ
４４…サブピクチャデータ
５０…ＰＣＩデータ
５１…ＤＳＩデータ
５２…ＧＯＰ
６０…プログラム
６１、６１Ａ、６１Ｂ…ＰＧＣ
６２…タイトル
７０…ＶＴＲ
７１…メモリ
７２…信号処理部
７３、７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
８７…ＶＢＶバッファ
８８…ビデオデコーダ
８９…サブピクチャバッファ
９０…サブピクチャデコーダ
９２…オーディオバッファ
９３…オーディオデコーダ
９４…ＰＣＩバッファ
９５…ＰＣＩデコーダ
９６…ハイライトバッファ
９７…ハイライトデコーダ
９８…入力部
９９…ディスプレイ
１００…システムコントローラ
１０１…ドライブコントローラ
１０２…スピンドルモータ
１０３…スライダモータ
Ｓ1 …記録装置
Ｓ2 …再生装置
Ｂ…光ビーム
ＤＫ…光ディスク
ＳＴ…キューシート
Ｓr …圧縮多重信号
Ｓi …制御情報信号
Ｓac…サーチ情報信号
Ｓa …付加情報信号
Ｓcc …情報選択信号
Ｓm …ディスク記録信号
Ｓap…情報付加圧縮多重信号
Ｓp…検出信号
Ｓdm…復調信号
Ｓd…駆動信号
Ｓsw1、Ｓsw2…スイッチ信号
Ｓin…入力信号
Ｓdp…表示信号
Ｓcsl…シームレス制御信号
Ｓc…制御信号
Ｓlc…言語選択信号
Ｓca…ポーズ信号
Ｓch…ハイライト制御信号
Ｓhi…ハイライト信号
Ｓpci…ＰＣＩ情報信号
Ｓpc…ＰＣＩ信号
Ｓad…オーディオ信号
Ｓsp…副映像信号
Ｓv…ビデオ信号
Ｓvd…復調ビデオ信号
Ｓspd…復調副映像信号
Ｓadd…復調オーディオ信号
Ｓvp…映像信号
Ｓhid…復調ハイライト信号
Ｔt …タイムコード
Ｒ…記録情報
【図１】
2006269069.tif 000003
【図２】
2006269069.tif 000004
【図３】
2006269069.tif 000005
【図４】
2006269069.tif 000006
【図５】
2006269069.tif 000007
【図６】
2006269069.tif 000008
【図７】
2006269069.tif 000009
【図８】
2006269069.tif 000010
【図９】
2006269069.tif 000011
【図１０】
2006269069.tif 000012
【図１１】
2006269069.tif 000013
【図１２】
2006269069.tif 000014
【図１３】
2006269069.tif 000015
【図１４】
2006269069.tif 000016
【図１５】
2006269069.tif 000017
【図１６】
2006269069.tif 000018
【図１７】
2006269069.tif 000019
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、
前記処理記録情報と前記検索情報とを多重して多重情報を出力する多重手段と、
前記多重情報を記録媒体に記録する記録手段と、
を備え、
前記記録位置情報は、前記記録情報の再生時間軸上において一の前記情報単位からみて所定範囲に存在する他の情報単位の位置を示し、
前記映像有無情報には、前記記録位置情報によって前記位置が示される前記他の情報単位における前記映像情報の存在の有無を示す存在情報が含まれることを特徴とする情報記録装置。
【請求項２】
請求項１に記載の情報記録装置において、
前記記録媒体はマスタディスクであることを特徴とする情報記録装置。
【請求項３】
請求項２に記載の情報記録装置において、
前記マスタディスクを用いてレプリカディスクを製造する手段を更に備えたことを特徴とする情報記録装置。
【請求項４】
請求項３に記載の情報記録装置により製造されたレプリカディスク。
【請求項５】
情報単位に対応して記録位置情報及び映像有無情報を含む検索情報が記録されている情報記録媒体であって、
前記記録位置情報が前記記録情報の再生時間軸上において一の前記情報単位からみて所定範囲に存在する他の前記情報単位の位置を示し、
前記映像有無情報には、前記記録位置情報によって前記位置が示される前記他の情報単位における前記映像情報の存在の有無を示す存在情報が含まれるように構成されている情報記録媒体から情報を再生する情報再生装置であって、
制御信号に基づいて前記情報記録媒体から検出された検出信号を復調し、復調信号を出力する検出復調手段と、
前記復調信号から前記検索情報を抽出する抽出手段と、
前記抽出された検索情報に基づいて、前記制御信号を出力する制御手段と、
を備えたことを特徴とする情報再生装置。
【請求項６】
請求項５に記載の情報再生装置において、
所定の情報単位を検索する検索手段と、
前記検索手段により検索された情報単位に対応する存在情報に基づいて、当該情報単位を再生するか否かを判断する判断手段とを更に備えることを特徴とする情報再生装置。
【請求項７】
請求項５に記載の情報再生装置において、
映像を出力しながらのスキャン動作の実行を指示するための入力手段と、
前記スキャン動作の実行が指示されたとき、前記記録位置情報及び前記映像有無情報に基づいて再生すべき前記映像情報を含む前記情報単位を検索する検索手段と、
を更に備えることを特徴とする情報再生装置。
【請求項８】
請求項５に記載の情報再生装置において、
指定された時刻の映像を出力する動作の実行を指示するための入力手段と、
前記動作の実行が指示されたときに、前記記録位置情報及び前記映像有無情報に基づいて、再生すべき前記映像情報を含む前記情報単位を検索する検索手段と、
を更に備えることを特徴とする情報再生装置。
【請求項９】
映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、
前記処理記録情報と前記検索情報とを多重して多重情報を出力する多重手段と、
を備え、
前記記録位置情報は、前記記録情報の再生時間軸上において一の前記情報単位からみて所定範囲に存在する他の情報単位の位置を示し、
前記映像有無情報には、前記記録位置情報によって前記位置が示される前記他の情報単位における前記映像情報の存在の有無を示す存在情報が含まれることを特徴とする情報処理装置。
【請求項１０】
映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、
前記処理記録情報と前記検索情報とを多重して多重情報を出力する多重工程と、
前記多重情報を記録媒体に記録する記録工程と、
を備え、
前記記録位置情報は、前記記録情報の再生時間軸上において一の前記情報単位からみて所定範囲に存在する他の情報単位の位置を示し、
前記映像有無情報には、前記記録位置情報によって前記位置が示される前記他の情報単位における前記映像情報の存在の有無を示す存在情報が含まれることを特徴とする情報記録方法。
【請求項１１】
請求項１０に記載の情報記録方法において、
前記記録媒体はマスタディスクであることを特徴とする情報記録方法。
【請求項１２】
請求項１１に記載の情報記録方法において、
前記マスタディスクを用いてレプリカディスクを製造する工程を更に備えたことを特徴とする情報記録方法。
【請求項１３】
請求項１２に記載の情報記録方法により製造されたレプリカディスク。
【請求項１４】
情報単位に対応して記録位置情報及び映像有無情報を含む検索情報が記録されている情報記録媒体であって、
前記記録位置情報が前記記録情報の再生時間軸上において一の前記情報単位からみて所定範囲に存在する他の前記情報単位の位置を示し、
前記映像有無情報には、前記記録位置情報によって前記位置が示される前記他の情報単位における前記映像情報の存在の有無を示す存在情報が含まれる情報記録媒体から情報を再生する情報再生方法であって、
制御信号に基づいて前記情報記録媒体から検出された検出信号を復調し、復調信号を出力する検出復調工程と、
前記復調信号から前記検索情報を抽出する抽出工程と、
前記抽出された検索情報に基づいて、前記制御信号を出力する制御工程と、
を備えたことを特徴とする情報再生方法。
【請求項１５】
請求項１４に記載の情報再生方法において、
所定の情報単位を検索する検索工程と、
前記検索工程において検索された情報単位に対応する存在情報に基づいて、当該情報単位を再生するか否かを判断する判断工程とを更に備えることを特徴とする情報再生方法。
【請求項１６】
請求項１４に記載の情報再生方法において、
映像を出力しながらのスキャン動作の実行を指示するための入力工程と、
前記スキャン動作の実行が指示されたとき、前記記録位置情報及び前記映像有無情報に基づいて再生すべき前記映像情報を含む前記情報単位を検索する検索工程と、
を更に備えることを特徴とする情報再生方法。
【請求項１７】
請求項１４に記載の情報再生方法において、
指定された時刻の映像を出力する動作の実行を指示するための入力工程と、
前記動作の実行が指示されたときに、前記記録位置情報及び前記映像有無情報に基づいて、再生すべき前記映像情報を含む前記情報単位を検索する検索工程と、
を更に備えることを特徴とする情報再生方法。
【請求項１８】
映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、
前記処理記録情報と前記検索情報とを多重して多重情報を出力する多重工程と、
を備え、
前記記録位置情報は、前記記録情報の再生時間軸上において一の前記情報単位からみて所定範囲に存在する他の情報単位の位置を示し、
前記映像有無情報には、前記記録位置情報によって前記位置が示される前記他の情報単位における前記映像情報の存在の有無を示す存在情報が含まれることを特徴とする情報処理方法。
【手続補正３】
【補正対象書類名】明細書
【補正対象項目名】００１２
【補正方法】変更
【補正の内容】
【００１２】
上記の課題を解決するために、請求項１に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、前記処理記録情報と前記検索情報とを多重して多重情報を出力する多重手段と、前記多重情報を記録媒体に記録する記録手段と、を備え、前記記録位置情報は、前記記録情報の再生時間軸上において一の前記情報単位からみて所定範囲に存在する他の情報単位の位置を示し、前記映像有無情報には、前記記録位置情報によって前記位置が示される前記他の情報単位における前記映像情報の存在の有無を示す存在情報が含まれることを特徴とする。
【手続補正４】
【補正対象書類名】明細書
【補正対象項目名】００１３
【補正方法】変更
【補正の内容】
【００１３】
上記の課題を解決するために、請求項５に記載の発明は、情報単位に対応して記録位置情報及び映像有無情報を含む検索情報が記録されている情報記録媒体であって、前記記録位置情報が前記記録情報の再生時間軸上において一の前記情報単位からみて所定範囲に存在する他の前記情報単位の位置を示し、前記映像有無情報には、前記記録位置情報によって前記位置が示される前記他の情報単位における前記映像情報の存在の有無を示す存在情報が含まれるように構成されている情報記録媒体から情報を再生する情報再生装置であって、制御信号に基づいて前記情報記録媒体から検出された検出信号を復調し、復調信号を出力する検出復調手段と、前記復調信号から前記検索情報を抽出する抽出手段と、前記抽出された検索情報に基づいて、前記制御信号を出力する制御手段と、を備えたことを特徴とする。
【手続補正５】
【補正対象書類名】明細書
【補正対象項目名】００１４
【補正方法】変更
【補正の内容】
【００１４】
上記の課題を解決するために、請求項９に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、前記処理記録情報と前記検索情報とを多重して多重情報を出力する多重手段と、を備え、前記記録位置情報は、前記記録情報の再生時間軸上において一の前記情報単位からみて所定範囲に存在する他の情報単位の位置を示し、前記映像有無情報には、前記記録位置情報によって前記位置が示される前記他の情報単位における前記映像情報の存在の有無を示す存在情報が含まれることを特徴とする。
【手続補正６】
【補正対象書類名】明細書
【補正対象項目名】００１５
【補正方法】変更
【補正の内容】
【００１５】
上記の課題を解決するために、請求項１０に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、前記処理記録情報と前記検索情報とを多重して多重情報を出力する多重工程と、前記多重情報を記録媒体に記録する記録工程と、を備え、前記記録位置情報は、前記記録情報の再生時間軸上において一の前記情報単位からみて所定範囲に存在する他の情報単位の位置を示し、前記映像有無情報には、前記記録位置情報によって前記位置が示される前記他の情報単位における前記映像情報の存在の有無を示す存在情報が含まれることを特徴とする。
【手続補正７】
【補正対象書類名】明細書
【補正対象項目名】００１６
【補正方法】変更
【補正の内容】
【００１６】
上記の課題を解決するために、請求項１４に記載の発明は、情報単位に対応して記録位置情報及び映像有無情報を含む検索情報が記録されている情報記録媒体であって、
前記記録位置情報が前記記録情報の再生時間軸上において一の前記情報単位からみて所定範囲に存在する他の前記情報単位の位置を示し、前記映像有無情報には、前記記録位置情報によって前記位置が示される前記他の情報単位における前記映像情報の存在の有無を示す存在情報が含まれる情報記録媒体から情報を再生する情報再生方法であって、制御信号に基づいて前記情報記録媒体から検出された検出信号を復調し、復調信号を出力する検出復調工程と、前記復調信号から前記検索情報を抽出する抽出工程と、前記抽出された検索情報に基づいて、前記制御信号を出力する制御工程と、を備えたことを特徴とする。
【手続補正８】
【補正対象書類名】明細書
【補正対象項目名】００１７
【補正方法】変更
【補正の内容】
【００１７】
上記の課題を解決するために、請求項１８に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、前記処理記録情報と前記検索情報とを多重して多重情報を出力する多重工程と、を備え、前記記録位置情報は、前記記録情報の再生時間軸上において一の前記情報単位からみて所定範囲に存在する他の情報単位の位置を示し、前記映像有無情報には、前記記録位置情報によって前記位置が示される前記他の情報単位における前記映像情報の存在の有無を示す存在情報が含まれることを特徴とする。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】０１８９
【補正方法】削除
【補正の内容】
【手続補正３６】
【補正対象書類名】明細書
【補正対象項目名】０１９０
【補正方法】削除
【補正の内容】
【手続補正３７】
【補正対象書類名】明細書
【補正対象項目名】０１９１
【補正方法】削除
【補正の内容】
【手続補正３８】
【補正対象書類名】明細書
【補正対象項目名】０１９２
【補正方法】削除
【補正の内容】
【手続補正３９】
【補正対象書類名】明細書
【補正対象項目名】０１９３
【補正方法】削除
【補正の内容】
【手続補正４０】
【補正対象書類名】明細書
【補正対象項目名】０１９４
【補正方法】削除
【補正の内容】
【手続補正４１】
【補正対象書類名】明細書
【補正対象項目名】０１９５
【補正方法】削除
【補正の内容】
【手続補正４２】
【補正対象書類名】明細書
【補正対象項目名】０１９６
【補正方法】削除
【補正の内容】
【手続補正４３】
【補正対象書類名】明細書
【補正対象項目名】０１９７
【補正方法】削除
【補正の内容】
【手続補正４４】
【補正対象書類名】明細書
【補正対象項目名】０１９８
【補正方法】削除
【補正の内容】
【手続補正４５】
【補正対象書類名】明細書
【補正対象項目名】０１９９
【補正方法】削除
【補正の内容】
【手続補正４６】
【補正対象書類名】明細書
【補正対象項目名】０２００
【補正方法】削除
【補正の内容】
【手続補正４７】
【補正対象書類名】明細書
【補正対象項目名】０２０１
【補正方法】削除
【補正の内容】